(57)【要約】  本出願の実施例は、ユーザ装置が現在の活性化のアップリンクＢＷＰを確定することと、ユーザ装置が前記の現在の活性化のアップリンクＢＷＰに対応するＳＲＳパラメータ配置を確定することと、ユーザ装置が前記ＳＲＳパラメータ配置に基づいて前記アップリンクＢＷＰでＳＲＳを伝送することとを含むＳＲＳ伝送方法及び相関装置を提供する。本出願の実施例により、ＳＲＳ伝送の柔軟性を向上させることができる。
2021515420.tif 000002
【特許請求の範囲】
【請求項１】
チャネルサウンディング基準信号（ＳＲＳ）伝送方法であって、
ユーザ装置が現在の活性化のアップリンク帯域幅部分（ＢＷＰ）を確定することと、
前記ユーザ装置が前記の現在の活性化のアップリンクＢＷＰに対応するＳＲＳパラメータ配置を確定することと、
前記ユーザ装置が前記ＳＲＳパラメータ配置に基づいて前記アップリンクＢＷＰでＳＲＳを伝送することとを含む、前記チャネルサウンディング基準信号（ＳＲＳ）伝送方法。
【請求項２】
前記ユーザ装置が現在の活性化のアップリンク帯域幅部分（ＢＷＰ）を確定することは、
前記ユーザ装置がＢＷＰ指示情報に基づいて現在の活性化のアップリンクＢＷＰを確定することを含み、直近受信された、アップリンク伝送をスケジューリングするためのダウンリンク制御情報（ＤＣＩ）が前記ＢＷＰ指示情報を含むことを特徴とする請求項１に記載の方法。
【請求項３】
前記方法はさらに、
前記ユーザ装置がネットワーク装置から送信された上位層シグナリングを受信し、前記上位層シグナリングが前記ユーザ装置の各アップリンクＢＷＰのために、対応するＳＲＳパラメータ配置を配置することに用いられることを含み、
前記ユーザ装置が前記の現在の活性化のアップリンクＢＷＰに対応するＳＲＳパラメータ配置を確定することは、
前記ユーザ装置が前記上位層シグナリングに基づいて前記現在の活性化のアップリンクＢＷＰに対応するＳＲＳパラメータ配置を確定することを含むことを特徴とする請求項１又は２に記載の方法。
【請求項４】
前記ＳＲＳパラメータ配置は前記アップリンクＢＷＰに含まれる少なくとも一つのＳＲＳリソースセットの配置及び／又は前記アップリンクＢＷＰに含まれる少なくとも一つのＳＲＳリソースの配置を含むことを特徴とする請求項１−３のいずれか一項に記載の方法。
【請求項５】
前記ＳＲＳリソースセットの配置は、ＳＲＳリソースセットの電力制御パラメータ配置、ＳＲＳリソースセットの機能配置、ＳＲＳリソースセットに対応する非周期トリガ状態、ＳＲＳリソースセットに関連付けられたチャネル状態情報基準信号（ＣＳＩ−ＲＳ）リソース配置のうちの少なくとも一つを含むことを特徴とする請求項４に記載の方法。
【請求項６】
前記ＳＲＳリソースの配置は、ＳＲＳリソースの時間周波数リソース配置、ＳＲＳリソースのシーケンス配置、ＳＲＳリソースのアンテナポート配置、ＳＲＳリソースの周期性配置、ＳＲＳリソースの空間相関性配置、ＳＲＳリソースに対応する非周期トリガ状態のうちの少なくとも一つを含むことを特徴とする請求項４又は５に記載の方法。
【請求項７】
前記方法はさらに、
前記アップリンクＢＷＰを活性化するＤＣＩに非周期ＳＲＳトリガシグナリングが含まれる場合、前記ユーザ装置が前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとすることを特徴とする
請求項１−６のいずれか一項に記載の方法。
【請求項８】
前記ユーザ装置が前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとすることは、
前記ユーザ装置が前記非周期ＳＲＳトリガシグナリングに示されたＳＲＳリソースセットを前記非周期ＳＲＳトリガシグナリングによってトリガされたＳＲＳ伝送を搬送するＳＲＳリソースセットとすることを含むことを特徴とする
請求項７に記載の方法。
【請求項９】
前記ＳＲＳパラメータ配置が前記ＳＲＳリソースセットの電力制御パラメータ配置を含み、前記ユーザ装置が前記ＳＲＳパラメータ配置に基づいて前記アップリンクＢＷＰでＳＲＳを伝送することは、
前記ユーザ装置が前記ＳＲＳリソースセットの電力制御パラメータ配置に基づき、前記ＳＲＳリソースセットでＳＲＳを伝送するための送信電力を確定し、確定された前記送信電力に基づいて前記アップリンクＢＷＰでＳＲＳを伝送することを含むことを特徴とする
請求項５−８のいずれか一項に記載の方法。
【請求項１０】
前記ＳＲＳパラメータ配置が前記ＳＲＳリソースセットの機能配置を含み、前記ユーザ装置が前記ＳＲＳパラメータ配置に基づいて前記アップリンクＢＷＰでＳＲＳを伝送することは、
前記ユーザ装置が前記ＳＲＳリソースセットの機能配置に基づき、前記ＳＲＳリソースセットでＳＲＳを伝送するためのアンテナポート、送信ビーム又はＳＲＳリソース数を確定し、確定された前記アンテナポート、前記送信ビーム又は前記ＳＲＳリソース数に基づいて前記アップリンクＢＷＰでＳＲＳを伝送することを含むことを特徴とする
請求項５−９のいずれか一項に記載の方法。
【請求項１１】
前記ＳＲＳパラメータ配置が前記ＳＲＳリソースセットに対応する非周期トリガ状態を含み、前記ユーザ装置が前記ＳＲＳパラメータ配置に基づいて前記アップリンクＢＷＰでＳＲＳを伝送することは、
前記ユーザ装置が前記ＳＲＳリソースセットに対応する非周期トリガ状態と前記非周期ＳＲＳトリガシグナリングに応じて上記アップリンクＢＷＰで非周期ＳＲＳ伝送を行うためのＳＲＳリソースセットを確定し、確定された前記ＳＲＳリソースセットに基づいて前記アップリンクＢＷＰでＳＲＳを伝送することを含むことを特徴とする
請求項５−１０のいずれか一項に記載の方法。
【請求項１２】
前記ＳＲＳパラメータ配置が前記ＳＲＳリソースセットに関連付けられたＣＳＩ−ＲＳリソース配置を含み、前記ユーザ装置が前記ＳＲＳパラメータ配置に基づいて前記アップリンクＢＷＰでＳＲＳを伝送することは、
前記ユーザ装置が前記ＳＲＳリソースセットに関連付けられたＣＳＩ−ＲＳリソース配置に基づき、前記ＳＲＳリソースセットでＳＲＳを伝送するためのビーム及び／又はプリコーディング行列を確定し、確定された前記ビーム及び／又は前記プリコーディング行列に基づいて前記アップリンクＢＷＰでＳＲＳを伝送することを含むことを特徴とする
請求項５−１１のいずれか一項に記載の方法。
【請求項１３】
前記ＳＲＳパラメータ配置が前記ＳＲＳリソースに対応する非周期トリガ状態を含み、前記ユーザ装置が前記ＳＲＳパラメータ配置に基づいて前記アップリンクＢＷＰでＳＲＳを伝送することは、
前記ユーザ装置が前記ＳＲＳリソースに対応する非周期トリガ状態と前記非周期ＳＲＳトリガシグナリングに応じて前記アップリンクＢＷＰで非周期ＳＲＳ伝送を行うためのＳＲＳリソースを確定し、確定された前記ＳＲＳリソースに基づいて前記アップリンクＢＷＰでＳＲＳを伝送することを含むことを特徴とする
請求項５−１２のいずれか一項に記載の方法。
【請求項１４】
前記ＳＲＳパラメータ配置が前記ＳＲＳリソースの時間周波数リソース配置を含み、前記ユーザ装置が前記ＳＲＳパラメータ配置に基づいて前記アップリンクＢＷＰでＳＲＳを伝送することは、
前記ユーザ装置が前記ＳＲＳリソースの時間周波数リソース配置と前記アップリンクＢＷＰの帯域幅の大きさに基づき、前記ＳＲＳリソースでＳＲＳを伝送するための帯域幅を確定し、確定された前記帯域幅に基づいて前記アップリンクＢＷＰでＳＲＳを伝送することを含むことを特徴とする
請求項５−１３のいずれか一項に記載の方法。
【請求項１５】
前記ＳＲＳパラメータ配置が前記ＳＲＳリソースの空間相関パラメータを含み、前記ユーザ装置が前記ＳＲＳパラメータ配置に基づいて前記アップリンクＢＷＰでＳＲＳを伝送することは、
前記ユーザ装置が前記ＳＲＳリソースの空間相関パラメータに基づいて前記ＳＲＳリソース空間と関連するターゲットＳＲＳリソース、ＣＳＩ−ＲＳリソース又は同期信号ブロック（ＳＳＢ）を確定することと、
前記ユーザ装置が前記ターゲットＳＲＳリソース、前記ＣＳＩ−ＲＳリソース又は前記ＳＳＢに基づき、前記ＳＲＳリソースの送信ビームを確定することと、
前記ユーザ装置が確定された前記送信ビームに基づいて前記アップリンクＢＷＰでＳＲＳを伝送することとを含むことを特徴とする
請求項６−１４のいずれか一項に記載の方法。
【請求項１６】
前記ＳＲＳパラメータ配置が前記ＳＲＳリソースのシーケンス配置を含み、前記ユーザ装置が前記ＳＲＳパラメータ配置に基づいて前記アップリンクＢＷＰでＳＲＳを伝送することは、
前記ユーザ装置が前記ＳＲＳリソースのシーケンス配置に基づき、前記ＳＲＳリソースでＳＲＳを伝送するためのＳＲＳシーケンスを確定し、確定された前記ＳＲＳシーケンスに基づいて前記アップリンクＢＷＰでＳＲＳを伝送することを含むことを特徴とする
請求項６−１５のいずれか一項に記載の方法。
【請求項１７】
前記ＳＲＳパラメータ配置が前記ＳＲＳリソースの周期性配置を含み、前記ユーザ装置が前記ＳＲＳパラメータ配置に基づいて前記アップリンクＢＷＰでＳＲＳを伝送することは、
前記ユーザ装置が前記ＳＲＳリソースの周期性配置に基づき、前記ＳＲＳリソースでＳＲＳを伝送する周期的行為を確定し、確定された前記周期的行為に基づいて前記アップリンクＢＷＰでＳＲＳを伝送することを含むことを特徴とする
請求項６−１６のいずれか一項に記載の方法。
【請求項１８】
ユーザ装置であって、処理ユニットと通信ユニットを備え、ここで、
前記処理ユニットが現在の活性化のアップリンク帯域幅部分（ＢＷＰ）を確定するように構成され、
前記処理ユニットがさらに前記の現在の活性化のアップリンクＢＷＰに対応するＳＲＳパラメータ配置を確定するように構成され、
前記処理ユニットがさらに前記ＳＲＳパラメータ配置に基づいて前記通信ユニットを介して前記アップリンクＢＷＰでＳＲＳを伝送するように構成される、前記ユーザ装置。
【請求項１９】
ユーザ装置であって、一つ又は複数のプロセッサ、一つ又は複数のメモリ、一つ又は複数の送受信機、及び一つ又は複数のプログラムを備え、前記一つ又は複数のプログラムが前記メモリに記憶され、前記一つ又は複数のプロセッサによって実行されるように構成され、前記プログラムが請求項１−１７のいずれか一項に記載される方法のステップを実行するための命令を含む、前記ユーザ装置。
【請求項２０】
コンピュータ可読記憶媒体であって、電子データ交換のためのコンピュータプログラムを記憶し、ここで、前記コンピュータプログラムによりコンピュータが請求項１−１７のいずれか一項に記載される方法のステップを実行するための命令を含む、前記コンピュータ可読記憶媒体。
【発明の詳細な説明】
【技術分野】
【０００１】
本出願は通信技術分野に関し、具体的にＳＲＳ伝送方法及び関連装置に関する。
【背景技術】
【０００２】
新しいエアインタフェース（ＮＲ：Ｎｅｗ  Ｒａｄｉｏ）において、一つの搬送波が複数の帯域幅部分（ＢＷＰ：Ｂａｎｄｗｉｄｔｈ  Ｐａｒｔ）を含むことができる。一つのユーザ装置（ＵＥ：Ｕｓｅｒ  Ｅｑｕｉｐｍｅｎｔ）に対して、一つの時点で一つのアップリンクＢＷＰだけがアップリンク送信のために活性化されることができる。同様に、一つの時点で一つのダウンリンクＢＷＰだけがダウンリンク伝送のために活性化されることができる。ユーザ装置の現在のどのＢＷＰが活性化されるかはダウンリンク制御情報（ＤＣＩ：Ｄｏｗｎｌｉｎｋ  Ｃｏｎｔｒｏｌ  Ｉｎｆｏｒｍａｔｉｏｎ）によって指示され、ユーザ装置の伝送用のＢＷＰは一つの搬送波における複数のＢＷＰで動的に切り替えられていることができる。チャネルサウンディング基準信号（ＳＲＳ：Ｓｏｕｎｄｉｎｇ  Ｒｅｆｅｒｅｎｃｅ  Ｓｉｇｎａｌ）の伝送が複数のＢＷＰで動的に切り替えられることができる場合、どのようにＳＲＳを伝送するかとの配置は解決すべき技術的問題になる。
【発明の概要】
【発明が解決しようとする課題】
【０００３】
本出願の実施例はＳＲＳ伝送の柔軟性を向上させるために、ＳＲＳ伝送方法及び関連装置を提供する。
【課題を解決するための手段】
【０００４】
第一の態様では、本出願の実施例によるＳＲＳ伝送方法は、
ユーザ装置が現在の活性化のアップリンクＢＷＰを確定することと、
前記ユーザ装置が前記の現在の活性化のアップリンクＢＷＰに対応するＳＲＳパラメータ配置を確定することと、
前記ユーザ装置が前記ＳＲＳパラメータ配置に基づいて前記アップリンクＢＷＰでＳＲＳを伝送することとを含む。
【０００５】
第二の態様では、本出願の実施例によるユーザ装置は処理ユニットと通信ユニットを備え、ここで、
前記処理ユニットが現在の活性化のアップリンクＢＷＰを確定するように構成され、
前記処理ユニットがさらに前記の現在の活性化のアップリンクＢＷＰに対応するＳＲＳパラメータ配置を確定するように構成され、
前記処理ユニットがさらに前記ＳＲＳパラメータ配置に基づいて前記通信ユニットを介して前記アップリンクＢＷＰでＳＲＳを伝送するように構成される。
【０００６】
第三の態様では、本出願の実施例によるユーザ装置は、一つ又は複数のプロセッサ、一つ又は複数のメモリ、一つ又は複数の送受信機、及び一つ又は複数のプログラムを備え、前記一つ又は複数のプログラムが前記メモリに記憶され、そして前記一つ又は複数のプロセッサによって実行されるように構成され、前記プログラムが第一の態様に記載される方法のステップを実行するための命令を含む。
【０００７】
第四の態様では、本出願の実施例によるコンピュータ可読記憶媒体は、電子データ交換のためのコンピュータプログラムを記憶し、ここで、前記コンピュータプログラムによりコンピュータが第一の態様で記載される方法の一部又は全てのステップを実行する。
【０００８】
第五の態様では、本出願の実施例によるコンピュータプログラム製品は、コンピュータプログラムを記憶する非一時的コンピュータ可読記憶媒体を含み、前記コンピュータプログラムがコンピュータに第一の態様に記載される方法の一部又は全てのステップを実行させるように動作されてもよい。該コンピュータプログラム製品は、一つのソフトウェアインストールパッケージであってもよい。
【０００９】
これにより、本出願では、まず、ネットワーク装置はユーザ装置の各ＢＷＰに一つのＳＲＳパラメータ配置をそれぞれ配置することができ、次に、ユーザ装置があるＢＷＰに動的に切り替えられてＳＲＳを伝送する場合、ユーザ装置は該あるＢＷＰに対応するＳＲＳパラメータ配置をＳＲＳ伝送のためのＳＲＳパラメータ配置とすることができ、最後、ユーザ装置は該あるＢＷＰに対応するＳＲＳパラメータ配置に基づいて該あるＢＷＰでＳＲＳを伝送する。このようにして異なるＢＷＰでのＳＲＳ伝送のために異なるＳＲＳパラメータ配置を用いることができ、さらにＳＲＳ伝送の柔軟性を向上させる。
【００１０】
本出願のこれらの態様又は他の態様は以下の実施例の説明からより容易に明らかになる。
【図面の簡単な説明】
【００１１】
【図１】本出願の実施例に係る無線通信システムのアーキテクチャ図である。
【図２】本出願の実施例に係るユーザ装置の構造図である。
【図３】本出願の実施例に係るネットワーク装置の構造図である。
【図４】本出願の実施例に係るＳＲＳ伝送方法のフローチャートである。
【図５】本出願の実施例に係る別のユーザ装置の構造図である。
【図６】本出願の実施例に係る別のユーザ装置の構造図である。
【発明を実施するための形態】
【００１２】
本出願の実施例又は背景技術における技術的解決策をより明確に説明するため、以下に本出願の実施例又は背景技術で使用される必要がある図面を説明する。
【００１３】
本出願の実施形態で使用される用語は本出願の具体的な実施例を解釈するためのものだけであって、本出願を限定することを意図しない。
【００１４】
本出願の明細書と特許請求の範囲及び前記図面中の用語「第一」、「第二」、「第三」と「第四」などは異なる対象を区別することに用いられるが、特定の順序を説明するためのものではない。また、用語「包括」と「有する」及びそれらのいかなる変形は、非排他的な包含をカバーすることを意図する。
【００１５】
図１に本出願に係る無線通信システムが示される。前記無線通信システムは長期発展型（ＬＴＥ：Ｌｏｎｇ  Ｔｅｒｍ  Ｅｖｏｌｕｔｉｏｎ）システムに限定されず、将来の進化する第五世代移動通信（５Ｇ：ｔｈｅ  ５ｔｈ  Ｇｅｎｅｒａｔｉｏｎ）システム、新しいエアインタフェース（ＮＲ）システム、マシンツーマシン（Ｍ２Ｍ：Ｍａｃｈｉｎｅ  ｔｏ  Ｍａｃｈｉｎｅ）システムなどであってもよい。図１に示すように、無線通信システム１００は一つ又は複数のネットワーク装置１０１と一つ又は複数のユーザ装置１０２を備えることができる。
【００１６】
ここで、ネットワーク装置１０１は基地局であってもよく、基地局が一つ又は複数のユーザ装置と通信することに用いられてもよいし、一部のユーザ装置の機能を有する一つ又は複数の基地局との通信（例えばマクロ基地局とマイクロ基地局、例えばアクセスポイント間の通信）に用いられてもよい。基地局は時分割同期符号分割多元接続（ＴＤ−ＳＣＤＭＡ：Ｔｉｍｅ  Ｄｉｖｉｓｉｏｎ  Ｓｙｎｃｈｒｏｎｏｕｓ  Ｃｏｄｅ  Ｄｉｖｉｓｉｏｎ）システムにおける基地局送受信ステーション（ＢＴＳ：Ｂａｓｅ  Ｔｒａｎｓｃｅｉｖｅｒ  Ｓｔａｔｉｏｎ）であってもよいし、ＬＴＥシステムにおける進化型基地局（ｅＮＢ：Ｅｖｏｌｕｔｉｏｎａｌ  Ｎｏｄｅ  Ｂ）、及び５Ｇシステム、新しいエアインタフェース（ＮＲ）システムにおける基地局であってもよい。また、基地局はアクセスポイント（ＡＰ：Ａｃｃｅｓｓ  Ｐｏｉｎｔ）、伝送ノート（Ｔｒａｎｓ  ＴＲＰ）、中央ユニット（ＣＵ：Ｃｅｎｔｒａｌ  Ｕｎｉｔ）又は他のネットワークエンティティであってもよく、そして以上のネットワークエンティティの機能のうちのいくつか又は全ての機能を含むことができる。
【００１７】
ユーザ装置１０２は無線通信システム１００全体に分布されてもよいし、静止型であってもよいし、移動型であってもよい。本出願のいくつかの実施例では、端末１０２は移動装置、移動ステーション（ｍｏｂｉｌｅ  ｓｔａｔｉｏｎ）、移動ユニット（ｍｏｂｉｌｅ  ｕｎｉｔ）、Ｍ２Ｍ端末、無線ユニット、遠隔ユニット、ユーザエージェント、モバイルクライアントなどであってもよい。
【００１８】
具体的には、ネットワーク装置１０１はネットワーク装置コントローラ（示されない）の制御で、無線インタフェース１０３を介してユーザ装置１０２と通信することに用いられてもよい。いくつかの実施例では、前記ネットワーク装置コントローラはコアネットワークの一部であってもよいし、ネットワーク装置１０１に集積されてもよい。ネットワーク装置１０１とネットワーク装置１０１はブラックホール（ｂｌａｃｋｈａｕｌ）インタフェース１０４（例えばＸ２インタフェース）を介し、直接又は間接的に接地し、相互に通信することもできる。
【００１９】
ＮＲの従来の議論では、一つの搬送波が複数のＢＷＰを含むことができる。一つのユーザ装置１０２に対して、一つの時点で一つのアップリンクＢＷＰだけがアップリンク送信のために活性化されてもよい。一つの時点で一つのダウンリンクＢＷＰだけがダウンリンク伝送のために活性化されてもよい。ユーザ装置１０２のどのＢＷＰが活性化されるかはネットワーク装置１０１によってＤＣＩで示され、ユーザ装置１０２が伝送するために使用するＢＷＰは一つの搬送波における複数のＢＷＰで動的に切り替えられてもよい。ＳＲＳ伝送が複数のＢＷＰで動的に切り替えられてもよい場合、どのようにＳＲＳを伝送するかの配置は解決すべき技術的問題である。
【００２０】
本出願では、まず、ネットワーク装置１０１はユーザ装置１０２の各ＢＷＰに一つのＳＲＳパラメータ配置をそれぞれ配置することができ、次に、ユーザ装置１０２があるＢＷＰに動的に切り替えられてＳＲＳを伝送する場合、ユーザ装置１０２は該あるＢＷＰに対応するＳＲＳパラメータ配置をＳＲＳ伝送のためのＳＲＳパラメータ配置とすることができ、最後、ユーザ装置１０２は該あるＢＷＰに対応するＳＲＳパラメータ配置に基づいて該あるＢＷＰでＳＲＳを伝送する。このようにして異なるＢＷＰでのＳＲＳ伝送のために異なるＳＲＳパラメータ配置を用いることができ、さらにＳＲＳ伝送の柔軟性を向上させる。
【００２１】
説明すべきものとして、図１に示す無線通信システム１００は本出願の技術的解決策をより明確にするためのものだけであり、本出願に対する限定を構成せず、当業者は、ネットワークアーキテクチャの発展と新しいサービスシナリオの出現に伴い、本出願による技術的解決策が同様の技術的問題に等しく適用可能であることを理解することができる。
【００２２】
図２を参照すると、図２に本出願のいくつかの実施例によるユーザ装置２００が示される。図２に示すように、ユーザ装置２００は、一つ又は複数のユーザ装置プロセッサ２０１、メモリ２０２、通信インタフェース２０３、受信機２０５、送信機２０６、カプラー２０７、アンテナ２０８、ユーザインタフェース２０２、及び入出力モジュール（オーディオ入出力モジュール２１０、キー入力モジュール２１１及びディスプレイ２１２などを含む）を備えることができる。これらの部材はバス２０４又は他の方式によって接続されてもよく、図２はバスによって接続されることを例とする。
【００２３】
ここで、通信インタフェース２０３はユーザ装置２００と他の通信装置、例えばネットワーク装置との通信に用いられてもよい。具体的には、前記ネットワーク装置は図３に示すネットワーク装置３００であってもよい。具体的には、通信インタフェース２０３は長期発展型（ＬＴＥ）（４Ｇ）通信インタフェースであってもよいし、５Ｇ又は将来の新しいエアインタフェースの通信インタフェースであってもよい。無線通信インタフェースに限定されず、ユーザ装置２００に有線の通信インタフェース２０３、例えばローカルエリアアクセスネットワーク（ＬＡＮ：Ｌｏｃａｌ  Ａｃｃｅｓｓ  Ｎｅｔｗｏｒｋ）インタフェースが配置されてもよい。
【００２４】
送信機２０６はユーザ装置プロセッサ２０１から出力された信号に対する送信処理、例えば信号変調に用いられてもよい。受信機２０５はアンテナ２０８によって受信された移動通信信号に対する受信処理、例えば信号復調に用いられてもよい。本出願のいくつかの実施例では、送信機２０６と受信機２０５は一つの無線モデムとして見なされてもよい。ユーザ装置２００では、送信機２０６と受信機２０５の数はいずれも一つ又は複数であってもよい。アンテナ２０８は伝送線の電磁エネルギーを自由空間内の電磁波に変換し、又は自由空間内の電磁波を伝送線の電磁エネルギーに変換することに用いられてもよい。カプラー２０７はアンテナ３０８によって受信された移動通信信号を複数のチャネルに分割し、複数の受信機２０５に割り当てることに用いられる。
【００２５】
図２に示す送信機２０６と受信機２０５、ユーザ装置２００はさらに他の通信部材、例えばＧＰＳモジュール、ブルートゥース（Ｂｌｕｅｔｏｏｔｈ）モジュール、無線フィデリティ（Ｗｉ−Ｆｉ：Ｗｉｒｅｌｅｓｓ  Ｆｉｄｅｌｉｔｙ）モジュールなどを含むことができる。上述した無線通信信号に限定されなく、ユーザ装置２００はさらに他の無線通信信号、例えば衛星信号、短波信号などをサポートすることができる。無線通信に限定されず、ユーザ装置２００はさらに有線通信をサポートするための有線ネットワークインタフェース（例えばＬＡＮインタフェース）が配置されてもよい。
【００２６】
前記入出力モジュールはユーザ装置２００とユーザ／外部環境とのインタラクションを実現することに用いられてもよく、主にオーディオ入出力モジュール２１０、キー入力モジュール２１１及びディスプレイ２１２などを含むことができる。具体的には、前記入出力モジュールはさらにカメラ、タッチスクリーン及びセンサーなどを含むことができる。ここで、前記入出力モジュールはいずれもユーザインタフェース２０９を介してユーザ装置プロセッサ２０１と通信する。
【００２７】
メモリ２０２は端末プロセッサ２０１に結合され、様々なソフトウェアプログラム及び／又は複数の命令を記憶するように構成される。具体的には、メモリ２０２は高速ランダムアクセスメモリを含むことができ、そして不揮発性メモリ、例えば一つ又は複数の磁気ディスク記憶装置、フラッシュ装置又は他の不揮発性固体メモリデバイスを含むこともできる。メモリ２０２は操作システム（以下にシステムと略称される）、例えばＡＮＤＲＯＩＤ、ＩＯＳ、ＷＩＮＤＯＷＳ、又はＬＩＮＵＸなどの組み込みオペレーティングシステムを記憶することができる。メモリ２０２はさらにネットワーク通信プログラムを記憶することができ、該ネットワーク通信プログラムが一つ又は複数の追加装置、一つ又は複数のユーザ装置、一つ又は複数のネットワーク装置と通信することに用いられてもよい。メモリ２０２はさらにユーザインタフェースプログラムを記憶することができ、該ユーザインタフェースプログラムがグラフィカル化された操作インタフェースによってアプリケーションプログラムの内容をリアルに表示し、そしてメニュー、ダイアログボックス及びキーなどの入力コントロールを介してアプリケーションプログラムに対するユーザの制御操作を受信することができる。
【００２８】
本出願のいくつかの実施例では、メモリ２０２はユーザ装置２００側での、本出願の一つ又は複数の実施例によるＳＲＳ伝送方法の実施プログラムを記憶することに用いられてもよい。本出願の一つ又は複数の実施例によるＳＲＳ伝送方法の実現について、以下の方法の実施例を参照する。
【００２９】
本出願のいくつかの実施例では、ユーザ装置プロセッサ２０１はコンピュータ可読命令を読み取って実行することに用いられてもよい。具体的には、ユーザ装置プロセッサ２０１はメモリ２１２に記憶されたプログラム、例えばユーザ装置２００側での、本出願の一つ又は複数の実施例によるＳＲＳ伝送方法の実施プログラムを呼び出し、そして該プログラムに含まれる命令を実行することに用いられてもよい。
【００３０】
理解すべきものとして、ユーザ装置２００は移動装置、移動ステーション（ｍｏｂｉｌｅ  ｓｔａｔｉｏｎ）、移動ユニット（ｍｏｂｉｌｅ  ｕｎｉｔ）、無線ユニット、遠隔ユニット、ユーザエージェント、モバイルクライアントなどとして実施されてもよい。
【００３１】
説明すべきものとして、図２に示すユーザ装置２００は本出願の実施例の一つの実施形態だけであり、実際の応用において、ユーザ装置２００はさらにより多い又はより少ない部材を備えることができ、ここで限定されない。
【００３２】
図３を参照すると、図３に本出願のいくつかの実施例によるネットワーク装置３００が示される。図３に示すように、ネットワーク装置３００は、一つ又は複数のネットワーク装置プロセッサ３０１、メモリ３０２、通信インタフェース３０３、送信機３０５、受信機３０６、カプラー３０７とアンテナ３０８を備えることができる。これらの部材はバス３０４又は他の方式によって接続されてもよく、図４はバスによって接続されることを例とする。
【００３３】
ここで、通信インタフェース３０３はネットワーク装置３００と他の通信装置、例えばユーザ装置又は他のネットワーク装置との通信に用いられてもよい。具体的には、前記ユーザ装置は図２に示すユーザ装置２００であってもよい。具体的には、通信インタフェース３０３は長期発展型（ＬＴＥ）（４Ｇ）通信インタフェースであってもよいし、５Ｇ又は将来の新しいエアインタフェースの通信インタフェースであってもよい。無線通信インタフェースに限定されず、ネットワーク装置３００はさらに有線通信をサポートするための有線の通信インタフェース３０３が配置されてもよく、例えば一つのネットワーク装置３００と他のネットワーク装置３００の間のバックホール接続は有線通信接続であってもよい。
【００３４】
送信機３０５はネットワーク装置プロセッサ３０１から出力された信号に対する送信処理、例えば信号変調に用いられてもよい。受信機３０６はアンテナ３０８によって受信された移動通信信号に対する受信処理、例えば信号復調に用いられてもよい。本出願のいくつかの実施例では、送信機３０５と受信機３０６は一つの無線モデムとして見なされてもよい。ネットワーク装置３００では、送信機３０５と受信機３０６の数はいずも一つ又は複数であってもよい。アンテナ３０８は伝送線の電磁エネルギーを自由空間内の電磁波に変換し、又は自由空間内の電磁波を伝送線の電磁エネルギーに変換することに用いられてもよい。カプラー３０７は移動通信信号を複数のチャネルに分割し、複数の受信機３０６に割り当てることに用いられてもよい。
【００３５】
メモリ３０２はネットワーク装置プロセッサ３０１に結合され、様々なソフトウェアプログラム及び／又は複数の命令を記憶するように構成される。具体的には、メモリ３０２は高速ランダムアクセスメモリを含むことができ、そして不揮発性メモリ、例えば一つ又は複数の磁気ディスク記憶装置、フラッシュ装置又は他の不揮発性固体メモリデバイスを含むこともできる。メモリ３０２は操作システム（以下にシステムと略称される）、例えばｕＣＯＳ、ＶｘＷｏｒｋｓ、ＲＴＬｉｎｕｘなどの組み込みオペレーティングシステムを記憶することができる。メモリ４０２はさらにネットワーク通信プログラムを記憶することができ、該ネットワーク通信プログラムが一つ又は複数の追加装置、一つ又は複数の端末装置、一つ又は複数のネットワーク装置と通信することに用いられてもよい。
【００３６】
ネットワーク装置プロセッサ３０１は無線チャネル管理、コールと通信リンクの確立及び削除を行い、そして本制御エリアのユーザにセルハンドオーバ制御などを提供することに用いられてもよい。具体的には、ネットワーク装置プロセッサ３０１は管理／通信モジュール（ＡＭ／ＣＭ：Ａｄｍｉｎｉｓｔｒａｔｉｏｎ  Ｍｏｄｕｌｅ／Ｃｏｍｍｕｎｉｃａｔ  ｉｏｎ  Ｍｏｄｕｌｅ）（音声チャネル交換と情報交換のためのセンター）、基本モジュール（ＢＭ：Ｂａｓｉｃ  Ｍｏｄｕｌｅ）（コール処理、シグナリング処理、無線リソース管理、無線リンクの管理と回路メンテナンス機能を完了することに用いられる）、コード変換及びサブマルチプレクサ（ＴＣＳＭ：Ｔｒａｎｓｃｏｄｅｒ  ａｎｄ  ＳｕｂＭｕｌｔｉｐｌｅｘｅｒ）（多重化及び逆多重化とコード変換機能を完了することに用いられる）などを備えることができる。
【００３７】
本出願の実施例では、メモリ３０２はネットワーク装置３００側での、本出願の一つ又は複数の実施例によるＳＲＳ伝送方法の実施プログラムを記憶することに用いられてもよい。本出願の一つ又は複数の実施例によるＳＲＳ伝送方法の実現について、以下の方法の実施例を参照する。
【００３８】
本出願の実施例では、ネットワーク装置プロセッサ３０１はコンピュータ可読命令を読み取って実行することに用いられてもよい。具体的には、ネットワーク装置プロセッサ３０１はメモリ３０２に記憶されたプログラム、例えばネットワーク装置３００側での、本出願の一つ又は複数の実施例によるＳＲＳ伝送方法の実施プログラムを呼び出し、そして該プログラムに含まれる命令を実行することに用いられてもよい。
【００３９】
ネットワーク装置３００が基地局送受信ステーション、無線送受信機、一つの基本サービスセット（ＢＳＳ）、一つの拡張サービスセット（ＥＳＳ）、ＮｏｄｅＢ、ｅＮｏｄｅＢ、アクセスポイント又はＴＲＰなどとして実施されてもよいことは理解可能である。
【００４０】
説明すべきものとして、図３に示すネットワーク装置３００は本出願の実施例の一つの実施形態だけであり、実際の応用において、ネットワーク装置３００はさらにより多い又はより少ない部材を備えることができ、ここで限定されない。
【００４１】
前記無線通信システム１００、ユーザ装置２００及びネットワーク装置３００のそれぞれに対応する実施例に基づき、本出願の実施例はＳＲＳ伝送方法を提供する。
【００４２】
図４を参照すると、図４は本出願の実施例に係るＳＲＳ伝送方法のフローチャートであり、以下のステップを含む。
【００４３】
ステップ４０１において、ユーザ装置は現在の活性化のアップリンクＢＷＰを確定する。
【００４４】
本出願の一実施例では、ユーザ装置はあるＢＷＰに動的に切り替えられる場合、上記ステップ４０１を実行する。
【００４５】
本出願の一実施例では、上記ステップ４０１の具体的な実施形態は以下の通りである。
【００４６】
ユーザ装置がＢＷＰ指示情報に基づいて現在の活性化のアップリンクＢＷＰを確定し、直近受信された、アップリンク伝送をスケジューリングするためのＤＣＩが前記ＢＷＰ指示情報を含む。
【００４７】
具体的には、ネットワーク装置はまず上位層シグナリングによりユーザ装置に複数のＢＷＰを予め配置し、次にこの複数のＢＷＰのうちの一つのＢＷＰが伝送のために活性化のことをＤＣＩにおけるＢＷＰ指示情報で示す。ここで、上位層シグナリングは無線リソース制御プロトコル（ＲＲＣ：Ｒａｄｉｏ  Ｒｅｓｏｕｒｃｅ  Ｃｏｎｔｒｏｌ）シグナリング、メディアアクセス制御（ＭＡＣ：Ｍｅｄｉｕｍ  Ａｃｃｅｓｓ  Ｃｏｎｔｒｏｌ）シグナリングなどを含むことができる。
【００４８】
例えば、ネットワーク装置はまずＲＲＣシグナリングによりユーザ装置のために４つのＢＷＰとこの４つのＢＷＰに対応する帯域幅を予め配置していることを仮定し、次にネットワーク装置はＤＣＩを通じて活性化のＢＷＰを指示し、該ＤＣＩが２ビットのＢＷＰ指示情報を含み、この２ビットのＢＷＰ指示情報がその中の活性化のＢＷＰを示すことに用いられる。例えば、この４つのＢＷＰがＢＷＰ１、ＢＷＰ２、ＢＷＰ３とＢＷＰ４であると仮定する場合、この２ビットのＢＷＰ指示情報が００である場合、現在の活性化のアップリンクＢＷＰはＢＷＰ１であり、また、この２ビットのＢＷＰ指示情報が１１であると仮定する場合、現在の活性化のアップリンクＢＷＰはＢＷＰ４であり、これによって類推する。
【００４９】
本出願の一実施例では、ＤＣＩは活性化のアップリンクＢＷＰでの非周期ＳＲＳ送信をトリガすることに同時に用いられてもよい。
【００５０】
ステップ４０２において、ユーザ装置は上記の現在の活性化のアップリンクＢＷＰに対応するＳＲＳパラメータ配置を確定する。
【００５１】
本出願の一実施例では、前記方法はさらに、
ユーザ装置がネットワーク装置から送信された上位層シグナリングを受信し、該上位層シグナリングが前記ユーザ装置の各アップリンクＢＷＰのために、対応するＳＲＳパラメータ配置を配置することに用いられる。
【００５２】
上記ステップ４０２の具体的な実施形態は、ユーザ装置が該上位層シグナリングに応じて上記の現在の活性化のアップリンクＢＷＰに対応するＳＲＳパラメータ配置を確定することである。
【００５３】
ここで、該上位層情報はＲＲＣシグナリング、ＭＡＣシグナリングなどを含むことができる。
【００５４】
具体的には、ネットワーク装置はまず上位層シグナリングによりユーザ装置のために４つのＢＷＰに対応する帯域幅（即ちこの４つのＢＷＰがそれぞれ占有するＰＲＢ）を予め配置し、次に別の上位層シグナリングによりこの４つのＢＷＰのために、対応するＳＲＳパラメータ配置をそれぞれ配置する。又は、ネットワーク装置は上位層シグナリングのみによりユーザ装置に４つのＢＷＰに対応する帯域幅（即ちこの４つのＢＷＰがそれぞれ占有したＰＲＢ）を予め配置し、この４つのＢＷＰのために、対応するＳＲＳパラメータ配置をそれぞれ配置する。
【００５５】
例えば、この４つのＢＷＰがＢＷＰ１、ＢＷＰ２、ＢＷＰ３とＢＷＰ４であり、ネットワーク装置は上位層シグナリングによりＢＷＰ１にＳＲＳパラメータ配置１、ＢＷＰ２にＳＲＳパラメータ配置２、ＢＷＰ３にＳＲＳパラメータ配置３、ＢＷＰ４にＳＲＳパラメータ配置４を配置すると仮定する。上記の現在の活性化のアップリンクＢＷＰがＢＷＰ１であると仮定する場合、ユーザ装置は該上位層シグナリングに応じてＢＷＰ１に対応するＳＲＳパラメータ配置がＳＲＳパラメータ配置１であることを得ることができ、これによって類推する。
【００５６】
ステップ４０３において、ユーザ装置は前記ＳＲＳパラメータ配置に基づいて上記アップリンクＢＷＰでＳＲＳを伝送する。
【００５７】
本出願の一実施例では、上記ＳＲＳパラメータ配置は上記アップリンクＢＷＰに含まれる少なくとも一つのＳＲＳリソースセットの配置及び／又はアップリンクＢＷＰに含まれる少なくとも一つのＳＲＳリソースの配置を含む。
【００５８】
本出願の一実施例では、上記ＳＲＳリソースセットの配置は、ＳＲＳリソースセットの電力制御パラメータ配置、ＳＲＳリソースセットの機能配置、ＳＲＳリソースセットに対応する非周期トリガ状態、ＳＲＳリソースセットに関連付けられたチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）のうちの少なくとも一つを含む。
【００５９】
ここで、上記ＳＲＳリソースセットの電力制御パラメータ配置は、開ループ電力制御パラメータ配置、閉ループ電力制御パラメータ配置、経路損失パラメータ配置のうちの少なくとも一つを含む。
【００６０】
ここで、上記ＳＲＳリソースセットの機能配置がＳＲＳリソースセットに対応する機能を示すことに用いられる。該ＳＲＳリソースセットに対応する機能は、インジケータビーム管理、コードブックに基づく伝送、非コードブックに基づく伝送とアンテナの切り替えなどの機能のうちの少なくとも一つを含む。
【００６１】
ここで、上記ＳＲＳリソースセットに対応する非周期トリガ状態はＳＲＳリソースセットの非周期伝送をトリガすることに用いられる。具体的には、ＤＣＩにおけるＳＲＳトリガシグナリングがある非周期トリガ状態を示す場合、ユーザ装置は該非周期トリガ状態に対応する一つ又は複数のＳＲＳリソースセットで非周期ＳＲＳ伝送を行う必要がある。
【００６２】
本出願の一実施例では、上記ＳＲＳリソースの配置は、ＳＲＳリソースの時間周波数リソース配置、ＳＲＳリソースのシーケンス配置、ＳＲＳリソースのアンテナポート配置、ＳＲＳリソースの周期性配置、ＳＲＳリソースの空間相関性配置、ＳＲＳリソースに対応する非周期トリガ状態のうちの少なくとも一つを含む。
【００６３】
本出願の一実施例では、前記方法はさらに、
上記アップリンクＢＷＰを活性化するＤＣＩに非周期ＳＲＳトリガシグナリングが含まれる場合、ユーザ装置は上記アップリンクＢＷＰに対応する少なくとも一つのＳＲＳリソースセットを上記非周期ＳＲＳトリガシグナリングによってトリガされたＳＲＳ伝送を搬送するＳＲＳリソースセットとすることを含む。
【００６４】
例えば、上記アップリンクＢＷＰを活性化するＤＣＩがＤＣＩ−１であり、ＤＣＩ−１に非周期ＳＲＳトリガシグナリングが含まれると仮定する。上記アップリンクＢＷＰに対応するＳＲＳリソースセットがＳＲＳリソースセット１であり、上記非周期ＳＲＳトリガ命令によってトリガされたＳＲＳ伝送がＳＲＳ伝送１であると仮定する場合、ユーザ装置はＳＲＳリソースセット１をＳＲＳ伝送１を搬送するＳＲＳリソースセットとする。また、例えば、上記アップリンクＢＷＰを活性化するＤＣＩがＤＣＩ−１であり、ＤＣＩ−１に非周期ＳＲＳトリガシグナリングが含まれると仮定する。上記アップリンクＢＷＰに対応するＳＲＳリソースセットがＳＲＳリソースセット１とＳＲＳリソースセット２であり、上記非周期ＳＲＳトリガ命令によってトリガされたＳＲＳ伝送がＳＲＳ伝送１であると仮定する場合、ユーザ装置はＳＲＳリソースセット１とＳＲＳリソースセット２又はその中の一つをＳＲＳ伝送１を搬送するＳＲＳリソースセットとする。
【００６５】
本出願の一実施例では、ユーザ装置が上記アップリンクＢＷＰに対応する少なくとも一つのＳＲＳリソースセットを上記非周期ＳＲＳトリガシグナリングによってトリガされたＳＲＳ伝送を搬送するＳＲＳリソースセットとする具体的な実施形態は以下のとりである。
【００６６】
ユーザ装置は上記非周期ＳＲＳトリガシグナリングに示されたＳＲＳリソースセットを上記非周期ＳＲＳトリガシグナリングによってトリガされたＳＲＳ伝送を搬送するＳＲＳリソースセットとする。
【００６７】
具体的には、ＤＣＩにＢＷＰ指示情報と非周期ＳＲＳトリガシグナリング、該ＢＷＰ指示情報に示された上記アップリンクＢＷＰに含まれる少なくとも一つのＳＲＳリソースセットが同時に含まれると仮定する場合、ユーザ装置は該少なくとも一つのＳＲＳリソースセットにおける非周期ＳＲＳトリガシグナリングに示されたＳＲＳリソースセットを、該非周期ＳＲＳトリガシグナリングによってトリガされたＳＲＳ伝送を搬送するＳＲＳリソースセットとする。
【００６８】
例えば、ＢＷＰ指示情報に示された上記アップリンクＢＷＰが３つのＳＲＳリソースセットを有し、ネットワーク装置からユーザ装置に送信されたＤＣＩに２ビットの非周期トリガシグナリングが含まれ、この２ビットの非周期トリガシグナリングのうちの３つの状態がそれぞれこの３つのＳＲＳリソースセットのうちの一つのＳＲＳリソースセットに対応すると仮定する場合、ユーザ装置は２ビットの非周期トリガシグナリングに示された状態に応じて対応する一つのＳＲＳリソースセットを確定し、その後確定されたＳＲＳリソースセットが該非周期ＳＲＳトリガシグナリングによってトリガされたＳＲＳ伝送を搬送することに用いられる。例えば、００がＳＲＳリソースセット１に対応し、０１がＳＲＳリソースセット２に対応し、１０がＳＲＳリソースセット３に対応し、１１が非周期ＳＲＳをトリガすることに対応し、ネットワーク装置からユーザ装置に送信されたＤＣＩに含まれる２ビットの非周期ＳＲＳトリガシグナリングが１１であると仮定する場合、ユーザ装置は該２ビットの非周期ＳＲＳトリガシグナリングに応じてＳＲＳリソースセット３を該２ビットの非周期ＳＲＳトリガシグナリングによってトリガされたＳＲＳ伝送を搬送するＳＲＳリソースセットとする。
【００６９】
また、例えば、ユーザ装置はＢＷＰ１でＢＷＰ１に対応するＳＲＳリソース配置に基づいてＳＲＳ伝送を周期的に伝送し始め、ユーザ装置はＢＷＰ指示情報が含まれるＤＣＩを受信した後、該ＢＷＰ指示情報に示されたＢＷＰ２に切り替えられ、ＢＷＰ２に対応するＳＲＳリソース配置に基づいてＳＲＳ伝送を周期的に伝送する必要がある。ＢＷＰ１とＢＷＰ２に対応するＳＲＳリソース配置はネットワーク装置が上位層シグナリングにより予めそれぞれ配置され、ＢＷＰ１とＢＷＰ２に対応するＳＲＳリソースは異なる周期とタイムスロットオフセットを有することができる。
【００７０】
本出願の一実施例では、上記ＳＲＳパラメータ配置がＳＲＳリソースセットの電力制御パラメータ配置を含み、ユーザ装置が上記ＳＲＳパラメータ配置に基づいて上記アップリンクＢＷＰでＳＲＳを伝送する具体的な実施形態は以下の通りである。
【００７１】
ユーザ装置が上記ＳＲＳリソースセットの電力制御パラメータ配置に基づき、上記ＳＲＳリソースセットでＳＲＳを伝送するための送信電力を確定し、ユーザ装置が確定された上記送信電力に基づいて上記アップリンクＢＷＰでＳＲＳを伝送する。
【００７２】
例えば、アップリンクＢＷＰに対応するＳＲＳリソースセットの電力制御パラメータ配置がｘであり、ユーザ装置が該配置に基づいて確定した送信電力がＰであると仮定する場合、ユーザ装置は上記アップリンクＢＷＰに含まれる上記ＳＲＳリソースセットでＳＲＳを伝送するための送信電力を確定する。
【００７３】
本出願の一実施例では、上記ＳＲＳパラメータ配置がＳＲＳリソースセットの機能配置を含み、ユーザ装置が上記ＳＲＳパラメータ配置に基づいて上記アップリンクＢＷＰでＳＲＳを伝送する具体的な実施形態は以下の通りである。
【００７４】
ユーザ装置が上記ＳＲＳリソースセットの機能配置に基づき、上記ＳＲＳリソースセットでＳＲＳを伝送するためのアンテナポート、送信ビーム又はＳＲＳリソース数を確定し、ユーザ装置が確定された上記アンテナポート、上記送信ビーム又は上記ＳＲＳリソース数に基づいて上記アップリンクＢＷＰでＳＲＳを伝送する。
【００７５】
具体的には、上記ＳＲＳリソースセットの機能配置がビーム管理である場合、ユーザ装置はＳＲＳを伝送するためのアンテナポートが１、２又は４であることを確定し、同時に該ＳＲＳリソースセットにおいて異なるＳＲＳリソースが異なるビームを用いてＳＲＳを伝送することができる。
【００７６】
また、上記ＳＲＳリソースセットの機能配置がコードブック伝送である場合、ユーザ装置はＳＲＳを伝送するためのアンテナポートが１、２又は４であることを確定し、同時に該ＳＲＳリソースセットに最大２つのＳＲＳリソースが含まれる。
【００７７】
また、上記ＳＲＳリソースセットの機能配置が非コードブック伝送である場合、ユーザ装置はＳＲＳを伝送するためのアンテナポートが１であることを確定し、同時に該ＳＲＳリソースセットに最大２つのＳＲＳリソースが含まれる。
【００７８】
また、上記ＳＲＳリソースセットの機能配置がアンテナの切り替えである場合、ユーザ装置はＳＲＳを伝送するためのアンテナポートが１又は２であることを確定し、同時に該ＳＲＳリソースセットに最大２つのＳＲＳリソースが含まれ、且つ異なるＳＲＳリソースが異なるアンテナポートに対応する。
【００７９】
本出願の一実施例では、上記ＳＲＳパラメータ配置がＳＲＳリソースセットに対応する非周期トリガ状態を含み、ユーザ装置が上記ＳＲＳパラメータ配置に基づいて上記アップリンクＢＷＰでＳＲＳを伝送する具体的な実施形態は以下の通りである。
【００８０】
ユーザ装置が上記ＳＲＳリソースセットに対応する非周期トリガ状態と上記非周期ＳＲＳトリガシグナリングに応じて上記アップリンクＢＷＰで非周期ＳＲＳ伝送を行うためのＳＲＳリソースセットを確定し、ユーザ装置が確定された上記ＳＲＳリソースセットに基づいて上記アップリンクＢＷＰでＳＲＳを伝送する。
【００８１】
例えば、ネットワーク装置が上位層シグナリングによりユーザ装置に３つのＳＲＳリソースセットを予め配置し、ＳＲＳリソースセット１に対応する非周期トリガ状態が００であり、ＳＲＳリソースセット２に対応する非周期トリガ状態が０１であり、ＳＲＳリソースセット３に対応する非周期トリガ状態が１０である場合、ユーザ装置は該非周期ＳＲＳトリガシグナリングに示された状態に応じて、この３つのセットから上記アップリンクＢＷＰで非周期ＳＲＳ伝送を行うためのターゲットＳＲＳリソースセットを確定する。例えば、非周期ＳＲＳトリガシグナリングに示された状態が００である場合、ターゲットＳＲＳリソースセットがＳＲＳリソースセット１であり、また、例えば非周期ＳＲＳトリガシグナリングに示された状態が１０である場合、ターゲットＳＲＳリソースセットはＳＲＳリソースセット３であり、これによって類推する。
【００８２】
本出願の一実施例では、上記ＳＲＳパラメータ配置がＳＲＳリソースセットに関連付けられたＣＳＩ−ＲＳリソース配置を含み、ユーザ装置が上記ＳＲＳパラメータ配置に基づいて上記アップリンクＢＷＰでＳＲＳを伝送する具体的な実施形態は以下の通りである。
【００８３】
ユーザ装置が上記ＳＲＳリソースセットに関連付けられたＣＳＩ−ＲＳリソース配置に基づき、上記ＳＲＳリソースセットでＳＲＳを伝送するためのビーム及び／又はプリコーディング行列を確定し、ユーザ装置が確定された上記ビーム及び／又は上記プリコーディング行列に基づいて前記アップリンクＢＷＰでＳＲＳを伝送する。
【００８４】
具体的には、ユーザ装置はＣＳＩ−ＲＳリソース配置に基づいてダウンリンクチャネル情報を取得し、その後ユーザ装置は取得されたダウンリンクチャネル情報及びチャンネル相互性に基づいてＳＲＳ伝送のためのビーム及び／又はプリコーディング行列を計算し、最後計算された上記ビーム及び／又は上記プリコーディング行列を上記アップリンクＢＷＰに含まれるＳＲＳリソースセットでのＳＲＳ伝送に用いる。
【００８５】
本出願の一実施例では、上記ＳＲＳパラメータ配置がＳＲＳリソースに対応する非周期トリガ状態を含み、ユーザ装置が上記ＳＲＳパラメータ配置に基づいて上記アップリンクＢＷＰでＳＲＳを伝送する具体的な実施形態は以下の通りである。
【００８６】
ユーザ装置が上記ＳＲＳリソースに対応する非周期トリガ状態と上記非周期ＳＲＳトリガシグナリングに応じて上記アップリンクＢＷＰで非周期ＳＲＳ伝送を行うためのＳＲＳリソースを確定し、ユーザ装置が確定された上記ＳＲＳリソースに基づいて前記アップリンクＢＷＰでＳＲＳを伝送する。
【００８７】
例えば、ネットワーク装置がユーザ装置に５つのＳＲＳリソースを予め配置し、ＳＲＳリソース１とＳＲＳリソース３に対応する非周期トリガ状態が００であり、ＳＲＳリソース２とＳＲＳリソース４に対応する非周期トリガ状態が０１であり、ＳＲＳリソース５に対応する非周期トリガ状態が１０である場合、ユーザ装置は上記非周期ＳＲＳトリガシグナリングに示された状態に応じて、この５つのリソースから上記アップリンクＢＷＰで非周期ＳＲＳ伝送を行うためのターゲットＳＲＳリソースを確定する。例えば、非周期ＳＲＳトリガシグナリングに示された状態が００である場合、ターゲットＳＲＳリソースセットはＳＲＳリソースセット１とＳＲＳリソースセット３であり、非周期ＳＲＳトリガシグナリングに示された状態が１０である場合、ターゲットＳＲＳリソースセットはＳＲＳリソースセット５であり、これによって類推する。
【００８８】
本出願の一実施例では、上記ＳＲＳパラメータ配置がＳＲＳリソースの時間周波数リソース配置を含み、ユーザ装置が上記ＳＲＳパラメータ配置に基づいて前記アップリンクＢＷＰでＳＲＳを伝送する具体的な実施形態は以下の通りである。
【００８９】
ユーザ装置が上記ＳＲＳリソースの時間周波数リソース配置と上記アップリンクＢＷＰの帯域幅の大きさに基づき、前記ＳＲＳリソースでＳＲＳを伝送するための帯域幅を確定し、ユーザ装置が確定された上記帯域幅に基づいて上記アップリンクＢＷＰでＳＲＳを伝送する。
【００９０】
具体的には、上記ＳＲＳリソースの時間周波数リソース配置はＳＲＳリソースのＳＲＳ帯域幅配置及び／又はＳＲＳ周波数領域周波数ホッピング配置を含む。ユーザ装置は前記アップリンクＢＷＰの帯域幅の大きさに基づき、上記ＳＲＳリソースでＳＲＳを伝送するための最大伝送帯域幅を確定する。該最大伝送帯域幅範囲で、ユーザ装置は上記ＳＲＳ帯域幅配置又は周波数領域周波数ホッピング配置に基づき、上記ＳＲＳリソースでＳＲＳを伝送するための帯域幅を確定し、その後確定された帯域幅に基づいて上記アップリンクＢＷＰでＳＲＳを伝送する。
【００９１】
本出願の一実施例では、上記ＳＲＳパラメータ配置がＳＲＳリソースの空間相関パラメータを含み、ユーザ装置が上記ＳＲＳパラメータ配置に基づいて前記アップリンクＢＷＰでＳＲＳを伝送する具体的な実施形態は以下の通りである。
【００９２】
ユーザ装置が上記ＳＲＳリソースの空間相関パラメータに基づいて上記ＳＲＳリソース空間に関連付けられたターゲットＳＲＳリソース、ＣＳＩ−ＲＳリソース又は同期信号ブロック（ＳＳＢ：Ｓｙｎｃｈｒｏｎｉｚａｔｉｏｎ  Ｓｉｇｎａｌ  Ｂｌｏｃｋ）を確定し、
ユーザ装置が上記ターゲットＳＲＳリソース、上記ＣＳＩ−ＲＳリソース又は上記ＳＳＢに基づき、上記ＳＲＳリソースの送信ビームを確定し、
ユーザ装置が確定された上記送信ビームに基づいて上記アップリンクＢＷＰでＳＲＳを伝送する。
【００９３】
さらに、ユーザ装置が上記ターゲットＳＲＳリソース、上記ＣＳＩ−ＲＳリソース又は上記ＳＳＢに基づき、上記ＳＲＳリソースの送信ビームを確定する具体的な実施形態は以下の通りである。
【００９４】
ユーザ装置が上記ターゲットＳＲＳリソースの送信ビームを上記ＳＲＳリソースの送信ビームとし、又は、
ユーザ装置が上記ＣＳＩ−ＲＳリソースの受信ビームを上記ＳＲＳリソースの送信ビームとし、又は、
ユーザ装置が上記ＳＳＢの受信ビームを上記ＳＲＳリソースの送信ビームとする。
【００９５】
本出願の一実施例では、上記ＳＲＳパラメータ配置がＳＲＳリソースのシーケンス配置を含み、ユーザ装置が上記ＳＲＳパラメータ配置に基づいて前記アップリンクＢＷＰでＳＲＳを伝送する具体的な実施形態は以下の通りである。
【００９６】
ユーザ装置が上記ＳＲＳリソースのシーケンス配置に基づき、上記ＳＲＳリソースでＳＲＳを伝送するためのＳＲＳシーケンスを確定し、ユーザ装置が確定された上記ＳＲＳシーケンスに基づいて上記アップリンクＢＷＰでＳＲＳを伝送する。
【００９７】
本出願の一実施例では、上記ＳＲＳパラメータ配置がＳＲＳリソースの周期性配置を含み、ユーザ装置が上記ＳＲＳパラメータ配置に基づいて前記アップリンクＢＷＰでＳＲＳを伝送する具体的な実施形態は以下の通りである。
【００９８】
ユーザ装置が上記ＳＲＳリソースの周期性配置に基づき、前記アップリンクＳＲＳリソースでＳＲＳを伝送する周期的行為を確定し、ユーザ装置が確定された上記周期的行為に基づいて上記アップリンクＢＷＰでＳＲＳを伝送する。
【００９９】
具体的には、上記ＳＲＳリソースの周期性配置が周期的である場合、ユーザ装置は上記アップリンクＢＷＰで周期的ＳＲＳ伝送を行う。また、上記ＳＲＳリソースの周期性配置が準持続的である場合、ユーザ装置は上記アップリンクＢＷＰで準持続的ＳＲＳ伝送を行う。また、上記ＳＲＳリソースの周期性配置が非周期的である場合、ユーザ装置は上記アップリンクＢＷＰで非周期ＳＲＳ伝送を行う。
【０１００】
これにより、本出願では、まず、ネットワーク装置はユーザ装置の各ＢＷＰに一つのＳＲＳパラメータ配置をそれぞれ配置することができ、次に、ユーザ装置があるＢＷＰに動的に切り替えられてＳＲＳを伝送する場合、ユーザ装置は該あるＢＷＰに対応するＳＲＳパラメータ配置をＳＲＳ伝送のためのＳＲＳパラメータ配置とすることができ、最後、ユーザ装置は該あるＢＷＰに対応するＳＲＳパラメータ配置に基づいて該あるＢＷＰでＳＲＳを伝送する。このようにして異なるＢＷＰでのＳＲＳ伝送のために異なるＳＲＳパラメータ配置を用いることができ、さらにＳＲＳ伝送の柔軟性を向上させる。
【０１０１】
説明すべきものとして、本出願で記載される例は解釈に用いられるものだけであり、限定を構成しない。
【０１０２】
図５を参照すると、図５は本出願の実施例によるユーザ装置５００であり、該ユーザ装置５００が一つ又は複数のプロセッサ、一つ又は複数のメモリ、一つ又は複数の送受信機、及び一つ又は複数のプログラムを備え、
前記一つ又は複数のプログラムが前記メモリに記憶され、且つ前記一つ又は複数のプロセッサによって実行されるように構成され、
前記プログラムが以下のステップを実行するための命令を含む。
【０１０３】
現在の活性化のアップリンクＢＷＰを確定する。
【０１０４】
前記の現在の活性化のアップリンクＢＷＰに対応するＳＲＳパラメータ配置を確定する。
【０１０５】
前記ＳＲＳパラメータ配置に基づいて前記アップリンクＢＷＰでＳＲＳを伝送する。
【０１０６】
本出願の一実施例では、現在の活性化のアップリンク帯域幅ＢＷＰを確定する方面において、前記プログラムは具体的に以下のステップを実行するための命令を含む。
【０１０７】
ＢＷＰ指示情報に基づいて現在の活性化のアップリンクＢＷＰを確定し、直近受信された、アップリンク伝送をスケジューリングするためのＤＣＩが前記ＢＷＰ指示情報を含む。
【０１０８】
本出願の一実施例では、前記プログラムがさらに以下のステップを実行するための命令を含む。
【０１０９】
ネットワーク装置から送信された上位層シグナリングを受信し、前記上位層シグナリングが前記ユーザ装置の各アップリンクＢＷＰのために、対応するＳＲＳパラメータ配置を配置することに用いられる。
【０１１０】
前記現在の活性化のアップリンクＢＷＰに対応するＳＲＳパラメータ配置を確定する方面において、前記プログラムは具体的に以下のステップを実行するための命令を含む。
【０１１１】
前記上位層シグナリングに基づいて前記現在の活性化のアップリンクＢＷＰに対応するＳＲＳパラメータ配置を確定する。
【０１１２】
本出願の一実施例では、前記ＳＲＳパラメータ配置は前記アップリンクＢＷＰに含まれる少なくとも一つのＳＲＳリソースセットの配置及び／又は前記アップリンクＢＷＰに含まれる少なくとも一つのＳＲＳリソースの配置を含む。
【０１１３】
本出願の一実施例では、前記ＳＲＳリソースセットの配置は、ＳＲＳリソースセットの電力制御パラメータ配置、ＳＲＳリソースセットの機能配置、ＳＲＳリソースセットに対応する非周期トリガ状態、ＳＲＳリソースセットに関連付けられたチャネル状態情報基準信号（ＣＳＩ−ＲＳ）のうちの少なくとも一つを含む。
【０１１４】
本出願の一実施例では、前記ＳＲＳリソースの配置は、ＳＲＳリソースの時間周波数リソース配置、ＳＲＳリソースのシーケンス配置、ＳＲＳリソースのアンテナポート配置、ＳＲＳリソースの周期性配置、ＳＲＳリソースの空間相関性配置、ＳＲＳリソースに対応する非周期トリガ状態のうちの少なくとも一つを含む。
【０１１５】
本出願の一実施例では、前記プログラムがさらに以下のステップを実行するための命令を含む。
【０１１６】
前記アップリンクＢＷＰを活性化するＤＣＩに非周期ＳＲＳトリガシグナリングが含まれる場合、前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとする。
【０１１７】
本出願の一実施例では、前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとする方面において、前記プログラムは具体的に以下のステップを実行するための命令を含む。
【０１１８】
前記非周期ＳＲＳトリガシグナリングに示されたＳＲＳリソースセットを前記非周期ＳＲＳトリガシグナリングによってトリガされたＳＲＳ伝送を搬送するＳＲＳリソースセットとする。
【０１１９】
本出願の一実施例では、前記ＳＲＳパラメータ配置が前記ＳＲＳリソースセットの電力制御パラメータ配置を含み、前記ＳＲＳパラメータ配置に基づいて前記アップリンクＢＷＰでＳＲＳを伝送する方面において、前記プログラムは具体的に以下のステップを実行するための命令を含む。
【０１２０】
前記ＳＲＳリソースセットの電力制御パラメータ配置に基づき、前記ＳＲＳリソースセットでＳＲＳを伝送するための送信電力を確定する。
【０１２１】
確定された前記送信電力に基づいて前記アップリンクＢＷＰでＳＲＳを伝送する。
【０１２２】
本出願の一実施例では、前記ＳＲＳパラメータ配置が前記ＳＲＳリソースセットの機能配置を含み、前記ＳＲＳパラメータ配置に基づいて前記アップリンクＢＷＰでＳＲＳを伝送する方面において、前記プログラムは具体的に以下のステップを実行するための命令を含む。
【０１２３】
前記ＳＲＳリソースセットの機能配置に基づき、前記ＳＲＳリソースセットでＳＲＳを伝送するためのアンテナポート、送信ビーム又はＳＲＳリソース数を確定する。
【０１２４】
確定された前記アンテナポート、前記送信ビーム又は前記ＳＲＳリソース数に基づいて前記アップリンクＢＷＰでＳＲＳを伝送する。
【０１２５】
本出願の一実施例では、前記ＳＲＳパラメータ配置が前記ＳＲＳリソースセットに対応する非周期トリガ状態を含み、前記ＳＲＳパラメータ配置に基づいて前記アップリンクＢＷＰでＳＲＳを伝送する方面において、前記プログラムは具体的に以下のステップを実行するための命令を含む。
【０１２６】
前記ＳＲＳリソースセットに対応する非周期トリガ状態と前記非周期ＳＲＳトリガシグナリングに応じて前記アップリンクＢＷＰで非周期ＳＲＳ伝送を行うためのＳＲＳリソースセットを確定する。
【０１２７】
確定された前記ＳＲＳリソースセットに基づいて前記アップリンクＢＷＰでＳＲＳを伝送する。
【０１２８】
本出願の一実施例では、前記ＳＲＳパラメータ配置が前記ＳＲＳリソースセットに関連付けられたＣＳＩ−ＲＳリソース配置を含み、前記ＳＲＳパラメータ配置に基づいて前記アップリンクＢＷＰでＳＲＳを伝送する方面において、前記プログラムは具体的に以下のステップを実行するための命令を含む。
【０１２９】
前記ＳＲＳリソースセットに関連付けられたＣＳＩ−ＲＳリソース配置に基づき、前記ＳＲＳリソースセットでＳＲＳを伝送するためのビーム及び／又はプリコーディング行列を確定する。
【０１３０】
確定された前記ビーム及び／又は前記プリコーディング行列に基づいて前記アップリンクＢＷＰでＳＲＳを伝送する。
【０１３１】
本出願の一実施例では、前記ＳＲＳパラメータ配置が前記ＳＲＳリソースに対応する非周期トリガ状態を含み、前記ＳＲＳパラメータ配置に基づいて前記アップリンクＢＷＰでＳＲＳを伝送する方面において、前記プログラムは具体的に以下のステップを実行するための命令を含む。
【０１３２】
前記ＳＲＳリソースに対応する非周期トリガ状態と前記非周期ＳＲＳトリガシグナリングに応じて前記アップリンクＢＷＰで非周期ＳＲＳ伝送を行うためのＳＲＳリソースを確定する。
【０１３３】
確定された前記ＳＲＳリソースに基づいて前記アップリンクＢＷＰでＳＲＳを伝送する。
【０１３４】
本出願の一実施例では、前記ＳＲＳパラメータ配置が前記ＳＲＳリソースの時間周波数リソース配置を含み、前記ＳＲＳパラメータ配置に基づいて前記アップリンクＢＷＰでＳＲＳを伝送する方面において、前記プログラムは具体的に以下のステップを実行するための命令を含む。
【０１３５】
前記ＳＲＳリソースの時間周波数リソース配置と前記アップリンクＢＷＰの帯域幅の大きさに基づき、前記ＳＲＳリソースでＳＲＳを伝送するための帯域幅を確定する。
【０１３６】
確定された前記帯域幅に基づいて前記アップリンクＢＷＰでＳＲＳを伝送する。
【０１３７】
本出願の一実施例では、前記ＳＲＳパラメータ配置が前記ＳＲＳリソースの空間相関パラメータを含み、前記ＳＲＳパラメータ配置に基づいて前記アップリンクＢＷＰでＳＲＳを伝送する方面において、前記プログラムは具体的に以下のステップを実行するための命令を含む。
【０１３８】
前記ＳＲＳリソースの空間相関パラメータに基づいて前記ＳＲＳリソース空間と関連するターゲットＳＲＳリソース、ＣＳＩ−ＲＳリソース又は同期信号ブロック（ＳＳＢ）を確定する。
【０１３９】
前記ターゲットＳＲＳリソース、前記ＣＳＩ−ＲＳリソース又は前記ＳＳＢに基づき、前記ＳＲＳリソースの送信ビームを確定する。
【０１４０】
確定された前記送信ビームに基づいて前記アップリンクＢＷＰでＳＲＳを伝送する。
【０１４１】
本出願の一実施例では、前記ＳＲＳパラメータ配置が前記ＳＲＳリソースのシーケンス配置を含み、前記ＳＲＳパラメータ配置に基づいて前記アップリンクＢＷＰでＳＲＳを伝送する方面において、前記プログラムは具体的に以下のステップを実行するための命令を含む。
【０１４２】
前記ＳＲＳリソースのシーケンス配置に基づき、前記ＳＲＳリソースでＳＲＳを伝送するためのＳＲＳシーケンスを確定する。
【０１４３】
確定された前記ＳＲＳシーケンスに基づいて前記アップリンクＢＷＰでＳＲＳを伝送する。
【０１４４】
本出願の一実施例では、前記ＳＲＳパラメータ配置が前記ＳＲＳリソースの周期性配置を含み、前記ＳＲＳパラメータ配置に基づいて前記アップリンクＢＷＰでＳＲＳを伝送する方面において、前記プログラムは具体的に以下のステップを実行するための命令を含む。
【０１４５】
前記ＳＲＳリソースの周期性配置に基づき、前記ＳＲＳリソースでＳＲＳを伝送する周期的行為を確定する。
【０１４６】
確定された前記周期的行為に基づいて前記アップリンクＢＷＰでＳＲＳを伝送する。
【０１４７】
説明すべきものとして、本実施例で記載される内容の具体的な実施形態について上記方法を参照でき、ここで述べない。
【０１４８】
図６を参照すると、図６は本出願の実施例によるユーザ装置６００であり、ユーザ装置６００が処理ユニット６０１、通信ユニット６０２と記憶ユニット６０３を備え、ここで、
処理ユニット６０１が現在の活性化のアップリンクＢＷＰを確定するように構成され、
処理ユニット６０１がさらに前記の現在の活性化のアップリンクＢＷＰに対応するＳＲＳパラメータ配置を確定するように構成され、
処理ユニット６０１がさらに前記ＳＲＳパラメータ配置に基づいて通信ユニット６０２を介して前記アップリンクＢＷＰでＳＲＳを伝送するように構成される。
【０１４９】
本出願の一実施例では、現在の活性化のアップリンク帯域幅ＢＷＰを確定する方面において、処理ユニット６０１は具体的に、
ＢＷＰ指示情報に基づいて現在の活性化のアップリンクＢＷＰを確定するように構成され、直近受信された、アップリンク伝送をスケジューリングするためのＤＣＩが前記ＢＷＰ指示情報を含む。
【０１５０】
本出願の一実施例では、処理ユニット６０１はさらに通信ユニット６０２を介してネットワーク装置から送信された上位層シグナリングを受信するように構成され、前記上位層シグナリングが前記ユーザ装置の各アップリンクＢＷＰのために、対応するＳＲＳパラメータ配置を配置することに用いられ、
前記の現在の活性化のアップリンクＢＷＰに対応するＳＲＳパラメータ配置を確定する方面において、処理ユニット６０１は具体的に、
前記上位層シグナリングに基づいて前記現在の活性化のアップリンクＢＷＰに対応するＳＲＳパラメータ配置を確定するように構成される。
【０１５１】
本出願の一実施例では、前記ＳＲＳパラメータ配置は前記アップリンクＢＷＰに含まれる少なくとも一つのＳＲＳリソースセットの配置及び／又は前記アップリンクＢＷＰに含まれる少なくとも一つのＳＲＳリソースの配置を含む。
【０１５２】
本出願の一実施例では、前記ＳＲＳリソースセットの配置は、ＳＲＳリソースセットの電力制御パラメータ配置、ＳＲＳリソースセットの機能配置、ＳＲＳリソースセットに対応する非周期トリガ状態、ＳＲＳリソースセットに関連付けられたチャネル状態情報基準信号（ＣＳＩ−ＲＳ）のうちの少なくとも一つを含む。
【０１５３】
本出願の一実施例では、前記ＳＲＳリソースの配置は、ＳＲＳリソースの時間周波数リソース配置、ＳＲＳリソースのシーケンス配置、ＳＲＳリソースのアンテナポート配置、ＳＲＳリソースの周期性配置、ＳＲＳリソースの空間相関性配置、ＳＲＳリソースに対応する非周期トリガ状態のうちの少なくとも一つを含む。
【０１５４】
本出願の一実施例では、処理ユニット６０１はさらに前記アップリンクＢＷＰを活性化するＤＣＩに非周期ＳＲＳトリガシグナリングが含まれる場合、前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとするように構成される。
【０１５５】
本出願の一実施例では、前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとする方面において、処理ユニット６０１は具体的に、
前記非周期ＳＲＳトリガシグナリングに示されたＳＲＳリソースセットを前記非周期ＳＲＳトリガシグナリングによってトリガされたＳＲＳ伝送を搬送するＳＲＳリソースセットとするように構成される。
【０１５６】
本出願の一実施例では、前記ＳＲＳパラメータ配置が前記ＳＲＳリソースセットの電力制御パラメータ配置を含み、前記ＳＲＳパラメータ配置に基づいて前記アップリンクＢＷＰでＳＲＳを伝送する方面において、処理ユニット６０１は具体的に、
前記ＳＲＳリソースセットの電力制御パラメータ配置に基づき、前記ＳＲＳリソースセットでＳＲＳを伝送するための送信電力を確定し、
確定された前記送信電力に基づいて前記アップリンクＢＷＰでＳＲＳを伝送するように構成される。
【０１５７】
本出願の一実施例では、前記ＳＲＳパラメータ配置が前記ＳＲＳリソースセットの機能配置を含み、前記ＳＲＳパラメータ配置に基づいて前記アップリンクＢＷＰでＳＲＳを伝送する方面において、処理ユニット６０１は具体的に、
前記ＳＲＳリソースセットの機能配置に基づき、前記ＳＲＳリソースセットでＳＲＳを伝送するためのアンテナポート、送信ビーム又はＳＲＳリソース数を確定し、
確定された前記アンテナポート、前記送信ビーム又は前記ＳＲＳリソース数に基づいて前記アップリンクＢＷＰでＳＲＳを伝送するように構成される。
【０１５８】
本出願の一実施例では、前記ＳＲＳパラメータ配置が前記ＳＲＳリソースセットに対応する非周期トリガ状態を含み、前記ＳＲＳパラメータ配置に基づいて前記アップリンクＢＷＰでＳＲＳを伝送する方面において、処理ユニット６０１は具体的に、
前記ＳＲＳリソースセットに対応する非周期トリガ状態と前記非周期ＳＲＳトリガシグナリングに応じて前記アップリンクＢＷＰで非周期ＳＲＳ伝送を行うためのＳＲＳリソースセットを確定し、
確定された前記ＳＲＳリソースセットに基づいて前記アップリンクＢＷＰでＳＲＳを伝送するように構成される。
【０１５９】
本出願の一実施例では、前記ＳＲＳパラメータ配置が前記ＳＲＳリソースセットに関連付けられたＣＳＩ−ＲＳリソース配置を含み、前記ＳＲＳパラメータ配置に基づいて前記アップリンクＢＷＰでＳＲＳを伝送する方面において、処理ユニット６０１は具体的に、
前記ＳＲＳリソースセットに関連付けられたＣＳＩ−ＲＳリソース配置に基づき、前記ＳＲＳリソースセットでＳＲＳを伝送するためのビーム及び／又はプリコーディング行列を確定し、
確定された前記ビーム及び／又は前記プリコーディング行列に基づいて前記アップリンクＢＷＰでＳＲＳを伝送するように構成される。
【０１６０】
本出願の一実施例では、前記ＳＲＳパラメータ配置が前記ＳＲＳリソースに対応する非周期トリガ状態を含み、前記ＳＲＳパラメータ配置に基づいて前記アップリンクＢＷＰでＳＲＳを伝送する方面において、処理ユニット６０１は具体的に、
前記ＳＲＳリソースに対応する非周期トリガ状態と前記非周期ＳＲＳトリガシグナリングに応じて前記アップリンクＢＷＰで非周期ＳＲＳ伝送を行うためのＳＲＳリソースを確定し、
確定された前記ＳＲＳリソースに基づいて前記アップリンクＢＷＰでＳＲＳを伝送するように構成される。
【０１６１】
本出願の一実施例では、前記ＳＲＳパラメータ配置が前記ＳＲＳリソースの時間周波数リソース配置を含み、前記ＳＲＳパラメータ配置に基づいて前記アップリンクＢＷＰでＳＲＳを伝送する方面において、処理ユニット６０１は具体的に、
前記ＳＲＳリソースの時間周波数リソース配置と前記アップリンクＢＷＰの帯域幅の大きさに基づき、前記ＳＲＳリソースでＳＲＳを伝送するための帯域幅を確定し、
確定された前記帯域幅に基づいて前記アップリンクＢＷＰでＳＲＳを伝送するように構成される。
【０１６２】
本出願の一実施例では、前記ＳＲＳパラメータ配置が前記ＳＲＳリソースの空間相関パラメータを含み、前記ＳＲＳパラメータ配置に基づいて前記アップリンクＢＷＰでＳＲＳを伝送する方面において、処理ユニット６０１は具体的に、
前記ＳＲＳリソースの空間相関パラメータに基づいて前記ＳＲＳリソース空間と関連するターゲットＳＲＳリソース、ＣＳＩ−ＲＳリソース又は同期信号ブロック（ＳＳＢ）を確定し、
前記ターゲットＳＲＳリソース、前記ＣＳＩ−ＲＳリソース又は前記ＳＳＢに基づき、前記ＳＲＳリソースの送信ビームを確定し、
確定された前記送信ビームに基づいて前記アップリンクＢＷＰでＳＲＳを伝送するように構成される。
【０１６３】
本出願の一実施例では、前記ＳＲＳパラメータ配置が前記ＳＲＳリソースのシーケンス配置を含み、前記ＳＲＳパラメータ配置に基づいて前記アップリンクＢＷＰでＳＲＳを伝送する方面において、処理ユニット６０１は具体的に、
前記ＳＲＳリソースのシーケンス配置に基づき、前記ＳＲＳリソースでＳＲＳを伝送するためのＳＲＳシーケンスを確定し、
確定された前記ＳＲＳシーケンスに基づいて前記アップリンクＢＷＰでＳＲＳを伝送するように構成される。
【０１６４】
本出願の一実施例では、前記ＳＲＳパラメータ配置が前記ＳＲＳリソースの周期性配置を含み、前記ＳＲＳパラメータ配置に基づいて前記アップリンクＢＷＰでＳＲＳを伝送する方面において、処理ユニット６０１は具体的に、
前記ＳＲＳリソースの周期性配置に基づき、前記ＳＲＳリソースでＳＲＳを伝送する周期的行為を確定し、
確定された前記周期的行為に基づいて前記アップリンクＢＷＰでＳＲＳを伝送するように構成される。
【０１６５】
ここで、処理ユニット６０１は、プロセッサ又はコントローラであってもよく、例えば中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、トランジスタ論理デバイス、トランジスタロジックデバイス、ハードウェア部材又はそれらの任意の組み合わせであってもよい。それは本出願で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサ、ＤＳＰとマイクロプロセッサの組み合わせなどを含む。通信ユニット６０２は送受信機、送受信回路、ＲＦチップ、通信インタフェースなどであってもよく、記憶ユニット６０３はメモリであってもよい。
【０１６６】
処理ユニット６０１がプロセッサであり、通信ユニット６０２が通信インタフェースであり、記憶ユニット６０３がメモリである場合、本出願の実施例に係るユーザ装置は図５に示すユーザ装置であってもよい。
【０１６７】
本出願の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例における第一のネットワーク装置で説明された一部又は全てのステップを実行する。
【０１６８】
本出願の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに第一の態様で記載される方法の一部又は全てのステップを実行させるように動作されてもよい。該コンピュータプログラム製品は、一つのソフトウェアインストールパッケージであってもよい。
【０１６９】
本出願の実施例で説明された方法又はアルゴリズムのステップはハードウェアで実現されてもよいし、プロセッサがソフトウェア命令を実行することで実現されてもよい。ソフトウェア命令が対応するソフトウェアモジュールで構成されてもよく、ソフトウェアモジュールはランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラマブルＲＯＭ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、モバイルハードディスク、読み出し専用光ディスク（ＣＤ−ＲＯＭ）又は本分野の既知のいかなる他の形態の記憶媒体に記憶されてもよい。例示的な記憶媒体がプロセッサに結合され、これによりプロセッサは該記憶媒体から情報を読み取ることができ、且つ該記憶媒体に情報を書き込むことができる。当然、記憶媒体はプロセッサの構成部分であってもよい。プロセッサと記憶媒体はＡＳＩＣに位置してもよい。また、該ＡＳＩＣはアクセスネットワーク装置、ターゲットネットワーク装置又はコアネットワーク装置に位置してもよい。当然、プロセッサと記憶媒体はディスクリートコンポーネントとしてアクセスネットワーク装置、ターゲットネットワーク装置又はコアネットワーク装置に位置してもよい。
【０１７０】
当業者は、上述した一つ又は複数の例において、本出願の実施例で説明された機能が全部又は一部でソフトウェア、ハードウェア、ファームウェア又はそれらの任意の組み合わせによって実現されてもよいことを理解することができる。ソフトウェアで実施される場合、全て又は部分的にコンピュータプログラム製品の形で実施されてもよい。前記コンピュータプログラム製品は一つ又は複数のコンピュータ命令を含む。コンピュータで前記コンピュータプログラム命令をロードして実行する場合、本出願の実施例に従って説明されたプロセス又は機能を全て部分的に生成する。前記コンピュータは汎用コンピュータ、専用コンピュータ、コンピュータネットワーク、又は他のプログラマブルデバイスであってもよい。前記コンピュータ命令はコンピュータ可読記憶媒体に記憶されてもよく、又は一つのコンピュータ読記憶媒体から別のコンピュータ読記憶媒体に伝送されてもよく、例えば、前記コンピュータ命令は一つウェブサイト、コンピュータ、サーバ又はデータセンターから別のウェブサイト、コンピュータ、サーバ又はデータセンターに有線（例えば同軸ケーブル、光ファイバ、デジタル加入者線（ＤＳＬ：Ｄｉｇｉｔａｌ  Ｓｕｂｓｃｒｉｂｅｒ  Ｌｉｎｅ）又は無線（例えば赤外線、無線、マイクロ波など）で伝送されてもよい。前記コンピュータ読記憶媒体はコンピュータがアクセスできるいかなる利用可能な媒体であってもよく、又は一つ又は複数の利用可能な媒体で集積されたサーバ、データセンターなどのデータ記憶装置を含む。前記利用可能な媒体は磁気媒体（例えばフロッピーディスク、ハードディスク、磁気テープ）、光学媒体（例えばデジタルビデオディスク（ＤＶＤ：Ｄｉｇｉｔａｌ  Ｖｉｄｅｏ  Ｄｉｓｃ））、又は半導体媒体（例えばソリッドステートディスク（ＳＳＤ：Ｓｏｌｉｄ  Ｓｔａｔｅ  Ｄｉｓｋ））などであってもよい。
【０１７１】
上記の具体的な実施形態では、本出願の実施例の目的、技術的解決策と有益な効果をさらに詳しく説明し、したがって、理解すべきものとして、上記は本出願の具体的な実施例の具体的な実施形態に過ぎず、本出願の実施例の保護範囲を限定するためのものではなく、本出願の実施例の技術的解決策に基づいて行われるいかなる修正、同等置き換え、改良などは、いずれも本開示の保護範囲内に含まれるべきである。
【図１】
2021515420.tif 000003
【図２】
2021515420.tif 000004
【図３】
2021515420.tif 000005
【図４】
2021515420.tif 000006
【図５】
2021515420.tif 000007
【図６】
2021515420.tif 000008
【手続補正書】
【提出日】令和2年12月15日(2020.12.15)
【手続補正１】
【補正対象書類名】明細書
【補正対象項目名】全文
【補正方法】変更
【補正の内容】
【発明の詳細な説明】
【技術分野】
【０００１】
本出願は通信技術分野に関し、具体的にＳＲＳ伝送方法及び関連装置に関する。
【背景技術】
【０００２】
新しいエアインタフェース（ＮＲ：Ｎｅｗ  Ｒａｄｉｏ）において、一つの搬送波が複数の帯域幅部分（ＢＷＰ：Ｂａｎｄｗｉｄｔｈ  Ｐａｒｔ）を含むことができる。一つのユーザ装置（ＵＥ：Ｕｓｅｒ  Ｅｑｕｉｐｍｅｎｔ）に対して、一つの時点で一つのアップリンクＢＷＰだけがアップリンク送信のために活性化されることができる。同様に、一つの時点で一つのダウンリンクＢＷＰだけがダウンリンク伝送のために活性化されることができる。ユーザ装置の現在のどのＢＷＰが活性化されるかはダウンリンク制御情報（ＤＣＩ：Ｄｏｗｎｌｉｎｋ  Ｃｏｎｔｒｏｌ  Ｉｎｆｏｒｍａｔｉｏｎ）によって指示され、ユーザ装置の伝送用のＢＷＰは一つの搬送波における複数のＢＷＰで動的に切り替えられていることができる。チャネルサウンディング基準信号（ＳＲＳ：Ｓｏｕｎｄｉｎｇ  Ｒｅｆｅｒｅｎｃｅ  Ｓｉｇｎａｌ）の伝送が複数のＢＷＰで動的に切り替えられることができる場合、どのようにＳＲＳを伝送するかとの配置は解決すべき技術的問題になる。
【発明の概要】
【発明が解決しようとする課題】
【０００３】
本出願の実施例はＳＲＳ伝送の柔軟性を向上させるために、ＳＲＳ伝送方法及び関連装置を提供する。
【課題を解決するための手段】
【０００４】
第一の態様では、本出願の実施例によるＳＲＳ伝送方法は、
ユーザ装置が現在の活性化のアップリンクＢＷＰを確定することと、
前記ユーザ装置が前記の現在の活性化のアップリンクＢＷＰに対応するＳＲＳパラメータ配置を確定することと、
前記ユーザ装置が前記ＳＲＳパラメータ配置に基づいて前記アップリンクＢＷＰでＳＲＳを伝送することとを含む。
【０００５】
第二の態様では、本出願の実施例によるユーザ装置は処理ユニットと通信ユニットを備え、ここで、
前記処理ユニットが現在の活性化のアップリンクＢＷＰを確定するように構成され、
前記処理ユニットがさらに前記の現在の活性化のアップリンクＢＷＰに対応するＳＲＳパラメータ配置を確定するように構成され、
前記処理ユニットがさらに前記ＳＲＳパラメータ配置に基づいて前記通信ユニットを介して前記アップリンクＢＷＰでＳＲＳを伝送するように構成される。
【０００６】
第三の態様では、本出願の実施例によるユーザ装置は、一つ又は複数のプロセッサ、一つ又は複数のメモリ、一つ又は複数の送受信機、及び一つ又は複数のプログラムを備え、前記一つ又は複数のプログラムが前記メモリに記憶され、そして前記一つ又は複数のプロセッサによって実行されるように構成され、前記プログラムが第一の態様に記載される方法のステップを実行するための命令を含む。
【０００７】
第四の態様では、本出願の実施例によるコンピュータ可読記憶媒体は、電子データ交換のためのコンピュータプログラムを記憶し、ここで、前記コンピュータプログラムによりコンピュータが第一の態様で記載される方法の一部又は全てのステップを実行する。
【０００８】
第五の態様では、本出願の実施例によるコンピュータプログラム製品は、コンピュータプログラムを記憶する非一時的コンピュータ可読記憶媒体を含み、前記コンピュータプログラムがコンピュータに第一の態様に記載される方法の一部又は全てのステップを実行させるように動作されてもよい。該コンピュータプログラム製品は、一つのソフトウェアインストールパッケージであってもよい。
【０００９】
これにより、本出願では、まず、ネットワーク装置はユーザ装置の各ＢＷＰに一つのＳＲＳパラメータ配置をそれぞれ配置することができ、次に、ユーザ装置があるＢＷＰに動的に切り替えられてＳＲＳを伝送する場合、ユーザ装置は該あるＢＷＰに対応するＳＲＳパラメータ配置をＳＲＳ伝送のためのＳＲＳパラメータ配置とすることができ、最後、ユーザ装置は該あるＢＷＰに対応するＳＲＳパラメータ配置に基づいて該あるＢＷＰでＳＲＳを伝送する。このようにして異なるＢＷＰでのＳＲＳ伝送のために異なるＳＲＳパラメータ配置を用いることができ、さらにＳＲＳ伝送の柔軟性を向上させる。
【００１０】
本出願のこれらの態様又は他の態様は以下の実施例の説明からより容易に明らかになる。
【図面の簡単な説明】
【００１１】
【図１】本出願の実施例に係る無線通信システムのアーキテクチャ図である。
【図２】本出願の実施例に係るユーザ装置の構造図である。
【図３】本出願の実施例に係るネットワーク装置の構造図である。
【図４】本出願の実施例に係るＳＲＳ伝送方法のフローチャートである。
【図５】本出願の実施例に係る別のユーザ装置の構造図である。
【図６】本出願の実施例に係る別のユーザ装置の構造図である。
【発明を実施するための形態】
【００１２】
本出願の実施例又は背景技術における技術的解決策をより明確に説明するため、以下に本出願の実施例又は背景技術で使用される必要がある図面を説明する。
【００１３】
本出願の実施形態で使用される用語は本出願の具体的な実施例を解釈するためのものだけであって、本出願を限定することを意図しない。
【００１４】
本出願の明細書と特許請求の範囲及び前記図面中の用語「第一」、「第二」、「第三」と「第四」などは異なる対象を区別することに用いられるが、特定の順序を説明するためのものではない。また、用語「包括」と「有する」及びそれらのいかなる変形は、非排他的な包含をカバーすることを意図する。
【００１５】
図１に本出願に係る無線通信システムが示される。前記無線通信システムは長期発展型（ＬＴＥ：Ｌｏｎｇ  Ｔｅｒｍ  Ｅｖｏｌｕｔｉｏｎ）システムに限定されず、将来の進化する第五世代移動通信（５Ｇ：ｔｈｅ  ５ｔｈ  Ｇｅｎｅｒａｔｉｏｎ）システム、新しいエアインタフェース（ＮＲ）システム、マシンツーマシン（Ｍ２Ｍ：Ｍａｃｈｉｎｅ  ｔｏ  Ｍａｃｈｉｎｅ）システムなどであってもよい。図１に示すように、無線通信システム１００は一つ又は複数のネットワーク装置１０１と一つ又は複数のユーザ装置１０２を備えることができる。
【００１６】
ここで、ネットワーク装置１０１は基地局であってもよく、基地局が一つ又は複数のユーザ装置と通信することに用いられてもよいし、一部のユーザ装置の機能を有する一つ又は複数の基地局との通信（例えばマクロ基地局とマイクロ基地局、例えばアクセスポイント間の通信）に用いられてもよい。基地局は時分割同期符号分割多元接続（ＴＤ−ＳＣＤＭＡ：Ｔｉｍｅ  Ｄｉｖｉｓｉｏｎ  Ｓｙｎｃｈｒｏｎｏｕｓ  Ｃｏｄｅ  Ｄｉｖｉｓｉｏｎ）システムにおける基地局送受信ステーション（ＢＴＳ：Ｂａｓｅ  Ｔｒａｎｓｃｅｉｖｅｒ  Ｓｔａｔｉｏｎ）であってもよいし、ＬＴＥシステムにおける進化型基地局（ｅＮＢ：Ｅｖｏｌｕｔｉｏｎａｌ  Ｎｏｄｅ  Ｂ）、及び５Ｇシステム、新しいエアインタフェース（ＮＲ）システムにおける基地局であってもよい。また、基地局はアクセスポイント（ＡＰ：Ａｃｃｅｓｓ  Ｐｏｉｎｔ）、伝送ノート（Ｔｒａｎｓ  ＴＲＰ）、中央ユニット（ＣＵ：Ｃｅｎｔｒａｌ  Ｕｎｉｔ）又は他のネットワークエンティティであってもよく、そして以上のネットワークエンティティの機能のうちのいくつか又は全ての機能を含むことができる。
【００１７】
ユーザ装置１０２は無線通信システム１００全体に分布されてもよいし、静止型であってもよいし、移動型であってもよい。本出願のいくつかの実施例では、端末１０２は移動装置、移動ステーション（ｍｏｂｉｌｅ  ｓｔａｔｉｏｎ）、移動ユニット（ｍｏｂｉｌｅ  ｕｎｉｔ）、Ｍ２Ｍ端末、無線ユニット、遠隔ユニット、ユーザエージェント、モバイルクライアントなどであってもよい。
【００１８】
具体的には、ネットワーク装置１０１はネットワーク装置コントローラ（示されない）の制御で、無線インタフェース１０３を介してユーザ装置１０２と通信することに用いられてもよい。いくつかの実施例では、前記ネットワーク装置コントローラはコアネットワークの一部であってもよいし、ネットワーク装置１０１に集積されてもよい。ネットワーク装置１０１とネットワーク装置１０１はブラックホール（ｂｌａｃｋｈａｕｌ）インタフェース１０４（例えばＸ２インタフェース）を介し、直接又は間接的に接地し、相互に通信することもできる。
【００１９】
ＮＲの従来の議論では、一つの搬送波が複数のＢＷＰを含むことができる。一つのユーザ装置１０２に対して、一つの時点で一つのアップリンクＢＷＰだけがアップリンク送信のために活性化されてもよい。一つの時点で一つのダウンリンクＢＷＰだけがダウンリンク伝送のために活性化されてもよい。ユーザ装置１０２のどのＢＷＰが活性化されるかはネットワーク装置１０１によってＤＣＩで示され、ユーザ装置１０２が伝送するために使用するＢＷＰは一つの搬送波における複数のＢＷＰで動的に切り替えられてもよい。ＳＲＳ伝送が複数のＢＷＰで動的に切り替えられてもよい場合、どのようにＳＲＳを伝送するかの配置は解決すべき技術的問題である。
【００２０】
本出願では、まず、ネットワーク装置１０１はユーザ装置１０２の各ＢＷＰに一つのＳＲＳパラメータ配置をそれぞれ配置することができ、次に、ユーザ装置１０２があるＢＷＰに動的に切り替えられてＳＲＳを伝送する場合、ユーザ装置１０２は該あるＢＷＰに対応するＳＲＳパラメータ配置をＳＲＳ伝送のためのＳＲＳパラメータ配置とすることができ、最後、ユーザ装置１０２は該あるＢＷＰに対応するＳＲＳパラメータ配置に基づいて該あるＢＷＰでＳＲＳを伝送する。このようにして異なるＢＷＰでのＳＲＳ伝送のために異なるＳＲＳパラメータ配置を用いることができ、さらにＳＲＳ伝送の柔軟性を向上させる。
【００２１】
説明すべきものとして、図１に示す無線通信システム１００は本出願の技術的解決策をより明確にするためのものだけであり、本出願に対する限定を構成せず、当業者は、ネットワークアーキテクチャの発展と新しいサービスシナリオの出現に伴い、本出願による技術的解決策が同様の技術的問題に等しく適用可能であることを理解することができる。
【００２２】
図２を参照すると、図２に本出願のいくつかの実施例によるユーザ装置２００が示される。図２に示すように、ユーザ装置２００は、一つ又は複数のユーザ装置プロセッサ２０１、メモリ２０２、通信インタフェース２０３、受信機２０５、送信機２０６、カプラー２０７、アンテナ２０８、ユーザインタフェース２０２、及び入出力モジュール（オーディオ入出力モジュール２１０、キー入力モジュール２１１及びディスプレイ２１２などを含む）を備えることができる。これらの部材はバス２０４又は他の方式によって接続されてもよく、図２はバスによって接続されることを例とする。
【００２３】
ここで、通信インタフェース２０３はユーザ装置２００と他の通信装置、例えばネットワーク装置との通信に用いられてもよい。具体的には、前記ネットワーク装置は図３に示すネットワーク装置３００であってもよい。具体的には、通信インタフェース２０３は長期発展型（ＬＴＥ）（４Ｇ）通信インタフェースであってもよいし、５Ｇ又は将来の新しいエアインタフェースの通信インタフェースであってもよい。無線通信インタフェースに限定されず、ユーザ装置２００に有線の通信インタフェース２０３、例えばローカルエリアアクセスネットワーク（ＬＡＮ：Ｌｏｃａｌ  Ａｃｃｅｓｓ  Ｎｅｔｗｏｒｋ）インタフェースが配置されてもよい。
【００２４】
送信機２０６はユーザ装置プロセッサ２０１から出力された信号に対する送信処理、例えば信号変調に用いられてもよい。受信機２０５はアンテナ２０８によって受信された移動通信信号に対する受信処理、例えば信号復調に用いられてもよい。本出願のいくつかの実施例では、送信機２０６と受信機２０５は一つの無線モデムとして見なされてもよい。ユーザ装置２００では、送信機２０６と受信機２０５の数はいずれも一つ又は複数であってもよい。アンテナ２０８は伝送線の電磁エネルギーを自由空間内の電磁波に変換し、又は自由空間内の電磁波を伝送線の電磁エネルギーに変換することに用いられてもよい。カプラー２０７はアンテナ３０８によって受信された移動通信信号を複数のチャネルに分割し、複数の受信機２０５に割り当てることに用いられる。
【００２５】
図２に示す送信機２０６と受信機２０５、ユーザ装置２００はさらに他の通信部材、例えばＧＰＳモジュール、ブルートゥース（Ｂｌｕｅｔｏｏｔｈ）モジュール、無線フィデリティ（Ｗｉ−Ｆｉ：Ｗｉｒｅｌｅｓｓ  Ｆｉｄｅｌｉｔｙ）モジュールなどを含むことができる。上述した無線通信信号に限定されなく、ユーザ装置２００はさらに他の無線通信信号、例えば衛星信号、短波信号などをサポートすることができる。無線通信に限定されず、ユーザ装置２００はさらに有線通信をサポートするための有線ネットワークインタフェース（例えばＬＡＮインタフェース）が配置されてもよい。
【００２６】
前記入出力モジュールはユーザ装置２００とユーザ／外部環境とのインタラクションを実現することに用いられてもよく、主にオーディオ入出力モジュール２１０、キー入力モジュール２１１及びディスプレイ２１２などを含むことができる。具体的には、前記入出力モジュールはさらにカメラ、タッチスクリーン及びセンサーなどを含むことができる。ここで、前記入出力モジュールはいずれもユーザインタフェース２０９を介してユーザ装置プロセッサ２０１と通信する。
【００２７】
メモリ２０２は端末プロセッサ２０１に結合され、様々なソフトウェアプログラム及び／又は複数の命令を記憶するように構成される。具体的には、メモリ２０２は高速ランダムアクセスメモリを含むことができ、そして不揮発性メモリ、例えば一つ又は複数の磁気ディスク記憶装置、フラッシュ装置又は他の不揮発性固体メモリデバイスを含むこともできる。メモリ２０２は操作システム（以下にシステムと略称される）、例えばＡＮＤＲＯＩＤ、ＩＯＳ、ＷＩＮＤＯＷＳ、又はＬＩＮＵＸなどの組み込みオペレーティングシステムを記憶することができる。メモリ２０２はさらにネットワーク通信プログラムを記憶することができ、該ネットワーク通信プログラムが一つ又は複数の追加装置、一つ又は複数のユーザ装置、一つ又は複数のネットワーク装置と通信することに用いられてもよい。メモリ２０２はさらにユーザインタフェースプログラムを記憶することができ、該ユーザインタフェースプログラムがグラフィカル化された操作インタフェースによってアプリケーションプログラムの内容をリアルに表示し、そしてメニュー、ダイアログボックス及びキーなどの入力コントロールを介してアプリケーションプログラムに対するユーザの制御操作を受信することができる。
【００２８】
本出願のいくつかの実施例では、メモリ２０２はユーザ装置２００側での、本出願の一つ又は複数の実施例によるＳＲＳ伝送方法の実施プログラムを記憶することに用いられてもよい。本出願の一つ又は複数の実施例によるＳＲＳ伝送方法の実現について、以下の方法の実施例を参照する。
【００２９】
本出願のいくつかの実施例では、ユーザ装置プロセッサ２０１はコンピュータ可読命令を読み取って実行することに用いられてもよい。具体的には、ユーザ装置プロセッサ２０１はメモリ２１２に記憶されたプログラム、例えばユーザ装置２００側での、本出願の一つ又は複数の実施例によるＳＲＳ伝送方法の実施プログラムを呼び出し、そして該プログラムに含まれる命令を実行することに用いられてもよい。
【００３０】
理解すべきものとして、ユーザ装置２００は移動装置、移動ステーション（ｍｏｂｉｌｅ  ｓｔａｔｉｏｎ）、移動ユニット（ｍｏｂｉｌｅ  ｕｎｉｔ）、無線ユニット、遠隔ユニット、ユーザエージェント、モバイルクライアントなどとして実施されてもよい。
【００３１】
説明すべきものとして、図２に示すユーザ装置２００は本出願の実施例の一つの実施形態だけであり、実際の応用において、ユーザ装置２００はさらにより多い又はより少ない部材を備えることができ、ここで限定されない。
【００３２】
図３を参照すると、図３に本出願のいくつかの実施例によるネットワーク装置３００が示される。図３に示すように、ネットワーク装置３００は、一つ又は複数のネットワーク装置プロセッサ３０１、メモリ３０２、通信インタフェース３０３、送信機３０５、受信機３０６、カプラー３０７とアンテナ３０８を備えることができる。これらの部材はバス３０４又は他の方式によって接続されてもよく、図４はバスによって接続されることを例とする。
【００３３】
ここで、通信インタフェース３０３はネットワーク装置３００と他の通信装置、例えばユーザ装置又は他のネットワーク装置との通信に用いられてもよい。具体的には、前記ユーザ装置は図２に示すユーザ装置２００であってもよい。具体的には、通信インタフェース３０３は長期発展型（ＬＴＥ）（４Ｇ）通信インタフェースであってもよいし、５Ｇ又は将来の新しいエアインタフェースの通信インタフェースであってもよい。無線通信インタフェースに限定されず、ネットワーク装置３００はさらに有線通信をサポートするための有線の通信インタフェース３０３が配置されてもよく、例えば一つのネットワーク装置３００と他のネットワーク装置３００の間のバックホール接続は有線通信接続であってもよい。
【００３４】
送信機３０５はネットワーク装置プロセッサ３０１から出力された信号に対する送信処理、例えば信号変調に用いられてもよい。受信機３０６はアンテナ３０８によって受信された移動通信信号に対する受信処理、例えば信号復調に用いられてもよい。本出願のいくつかの実施例では、送信機３０５と受信機３０６は一つの無線モデムとして見なされてもよい。ネットワーク装置３００では、送信機３０５と受信機３０６の数はいずも一つ又は複数であってもよい。アンテナ３０８は伝送線の電磁エネルギーを自由空間内の電磁波に変換し、又は自由空間内の電磁波を伝送線の電磁エネルギーに変換することに用いられてもよい。カプラー３０７は移動通信信号を複数のチャネルに分割し、複数の受信機３０６に割り当てることに用いられてもよい。
【００３５】
メモリ３０２はネットワーク装置プロセッサ３０１に結合され、様々なソフトウェアプログラム及び／又は複数の命令を記憶するように構成される。具体的には、メモリ３０２は高速ランダムアクセスメモリを含むことができ、そして不揮発性メモリ、例えば一つ又は複数の磁気ディスク記憶装置、フラッシュ装置又は他の不揮発性固体メモリデバイスを含むこともできる。メモリ３０２は操作システム（以下にシステムと略称される）、例えばｕＣＯＳ、ＶｘＷｏｒｋｓ、ＲＴＬｉｎｕｘなどの組み込みオペレーティングシステムを記憶することができる。メモリ４０２はさらにネットワーク通信プログラムを記憶することができ、該ネットワーク通信プログラムが一つ又は複数の追加装置、一つ又は複数の端末装置、一つ又は複数のネットワーク装置と通信することに用いられてもよい。
【００３６】
ネットワーク装置プロセッサ３０１は無線チャネル管理、コールと通信リンクの確立及び削除を行い、そして本制御エリアのユーザにセルハンドオーバ制御などを提供することに用いられてもよい。具体的には、ネットワーク装置プロセッサ３０１は管理／通信モジュール（ＡＭ／ＣＭ：Ａｄｍｉｎｉｓｔｒａｔｉｏｎ  Ｍｏｄｕｌｅ／Ｃｏｍｍｕｎｉｃａｔ  ｉｏｎ  Ｍｏｄｕｌｅ）（音声チャネル交換と情報交換のためのセンター）、基本モジュール（ＢＭ：Ｂａｓｉｃ  Ｍｏｄｕｌｅ）（コール処理、シグナリング処理、無線リソース管理、無線リンクの管理と回路メンテナンス機能を完了することに用いられる）、コード変換及びサブマルチプレクサ（ＴＣＳＭ：Ｔｒａｎｓｃｏｄｅｒ  ａｎｄ  ＳｕｂＭｕｌｔｉｐｌｅｘｅｒ）（多重化及び逆多重化とコード変換機能を完了することに用いられる）などを備えることができる。
【００３７】
本出願の実施例では、メモリ３０２はネットワーク装置３００側での、本出願の一つ又は複数の実施例によるＳＲＳ伝送方法の実施プログラムを記憶することに用いられてもよい。本出願の一つ又は複数の実施例によるＳＲＳ伝送方法の実現について、以下の方法の実施例を参照する。
【００３８】
本出願の実施例では、ネットワーク装置プロセッサ３０１はコンピュータ可読命令を読み取って実行することに用いられてもよい。具体的には、ネットワーク装置プロセッサ３０１はメモリ３０２に記憶されたプログラム、例えばネットワーク装置３００側での、本出願の一つ又は複数の実施例によるＳＲＳ伝送方法の実施プログラムを呼び出し、そして該プログラムに含まれる命令を実行することに用いられてもよい。
【００３９】
ネットワーク装置３００が基地局送受信ステーション、無線送受信機、一つの基本サービスセット（ＢＳＳ）、一つの拡張サービスセット（ＥＳＳ）、ＮｏｄｅＢ、ｅＮｏｄｅＢ、アクセスポイント又はＴＲＰなどとして実施されてもよいことは理解可能である。
【００４０】
説明すべきものとして、図３に示すネットワーク装置３００は本出願の実施例の一つの実施形態だけであり、実際の応用において、ネットワーク装置３００はさらにより多い又はより少ない部材を備えることができ、ここで限定されない。
【００４１】
前記無線通信システム１００、ユーザ装置２００及びネットワーク装置３００のそれぞれに対応する実施例に基づき、本出願の実施例はＳＲＳ伝送方法を提供する。
【００４２】
図４を参照すると、図４は本出願の実施例に係るＳＲＳ伝送方法のフローチャートであり、以下のステップを含む。
【００４３】
ステップ４０１において、ユーザ装置は現在の活性化のアップリンクＢＷＰを確定する。
【００４４】
本出願の一実施例では、ユーザ装置はあるＢＷＰに動的に切り替えられる場合、上記ステップ４０１を実行する。
【００４５】
本出願の一実施例では、上記ステップ４０１の具体的な実施形態は以下の通りである。
【００４６】
ユーザ装置がＢＷＰ指示情報に基づいて現在の活性化のアップリンクＢＷＰを確定し、直近受信された、アップリンク伝送をスケジューリングするためのＤＣＩが前記ＢＷＰ指示情報を含む。
【００４７】
具体的には、ネットワーク装置はまず上位層シグナリングによりユーザ装置に複数のＢＷＰを予め配置し、次にこの複数のＢＷＰのうちの一つのＢＷＰが伝送のために活性化のことをＤＣＩにおけるＢＷＰ指示情報で示す。ここで、上位層シグナリングは無線リソース制御プロトコル（ＲＲＣ：Ｒａｄｉｏ  Ｒｅｓｏｕｒｃｅ  Ｃｏｎｔｒｏｌ）シグナリング、メディアアクセス制御（ＭＡＣ：Ｍｅｄｉｕｍ  Ａｃｃｅｓｓ  Ｃｏｎｔｒｏｌ）シグナリングなどを含むことができる。
【００４８】
例えば、ネットワーク装置はまずＲＲＣシグナリングによりユーザ装置のために４つのＢＷＰとこの４つのＢＷＰに対応する帯域幅を予め配置していることを仮定し、次にネットワーク装置はＤＣＩを通じて活性化のＢＷＰを指示し、該ＤＣＩが２ビットのＢＷＰ指示情報を含み、この２ビットのＢＷＰ指示情報がその中の活性化のＢＷＰを示すことに用いられる。例えば、この４つのＢＷＰがＢＷＰ１、ＢＷＰ２、ＢＷＰ３とＢＷＰ４であると仮定する場合、この２ビットのＢＷＰ指示情報が００である場合、現在の活性化のアップリンクＢＷＰはＢＷＰ１であり、また、この２ビットのＢＷＰ指示情報が１１であると仮定する場合、現在の活性化のアップリンクＢＷＰはＢＷＰ４であり、これによって類推する。
【００４９】
本出願の一実施例では、ＤＣＩは活性化のアップリンクＢＷＰでの非周期ＳＲＳ送信をトリガすることに同時に用いられてもよい。
【００５０】
ステップ４０２において、ユーザ装置は上記の現在の活性化のアップリンクＢＷＰに対応するＳＲＳパラメータ配置を確定する。
【００５１】
本出願の一実施例では、前記方法はさらに、
ユーザ装置がネットワーク装置から送信された上位層シグナリングを受信し、該上位層シグナリングが前記ユーザ装置の各アップリンクＢＷＰのために、対応するＳＲＳパラメータ配置を配置することに用いられる。
【００５２】
上記ステップ４０２の具体的な実施形態は、ユーザ装置が該上位層シグナリングに応じて上記の現在の活性化のアップリンクＢＷＰに対応するＳＲＳパラメータ配置を確定することである。
【００５３】
ここで、該上位層情報はＲＲＣシグナリング、ＭＡＣシグナリングなどを含むことができる。
【００５４】
具体的には、ネットワーク装置はまず上位層シグナリングによりユーザ装置のために４つのＢＷＰに対応する帯域幅（即ちこの４つのＢＷＰがそれぞれ占有するＰＲＢ）を予め配置し、次に別の上位層シグナリングによりこの４つのＢＷＰのために、対応するＳＲＳパラメータ配置をそれぞれ配置する。又は、ネットワーク装置は上位層シグナリングのみによりユーザ装置に４つのＢＷＰに対応する帯域幅（即ちこの４つのＢＷＰがそれぞれ占有したＰＲＢ）を予め配置し、この４つのＢＷＰのために、対応するＳＲＳパラメータ配置をそれぞれ配置する。
【００５５】
例えば、この４つのＢＷＰがＢＷＰ１、ＢＷＰ２、ＢＷＰ３とＢＷＰ４であり、ネットワーク装置は上位層シグナリングによりＢＷＰ１にＳＲＳパラメータ配置１、ＢＷＰ２にＳＲＳパラメータ配置２、ＢＷＰ３にＳＲＳパラメータ配置３、ＢＷＰ４にＳＲＳパラメータ配置４を配置すると仮定する。上記の現在の活性化のアップリンクＢＷＰがＢＷＰ１であると仮定する場合、ユーザ装置は該上位層シグナリングに応じてＢＷＰ１に対応するＳＲＳパラメータ配置がＳＲＳパラメータ配置１であることを得ることができ、これによって類推する。
【００５６】
ステップ４０３において、ユーザ装置は前記ＳＲＳパラメータ配置に基づいて上記アップリンクＢＷＰでＳＲＳを伝送する。
【００５７】
本出願の一実施例では、上記ＳＲＳパラメータ配置は上記アップリンクＢＷＰに含まれる少なくとも一つのＳＲＳリソースセットの配置及び／又はアップリンクＢＷＰに含まれる少なくとも一つのＳＲＳリソースの配置を含む。
【００５８】
本出願の一実施例では、上記ＳＲＳリソースセットの配置は、ＳＲＳリソースセットの電力制御パラメータ配置、ＳＲＳリソースセットの機能配置、ＳＲＳリソースセットに対応する非周期トリガ状態、ＳＲＳリソースセットに関連付けられたチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）のうちの少なくとも一つを含む。
【００５９】
ここで、上記ＳＲＳリソースセットの電力制御パラメータ配置は、開ループ電力制御パラメータ配置、閉ループ電力制御パラメータ配置、経路損失パラメータ配置のうちの少なくとも一つを含む。
【００６０】
ここで、上記ＳＲＳリソースセットの機能配置がＳＲＳリソースセットに対応する機能を示すことに用いられる。該ＳＲＳリソースセットに対応する機能は、インジケータビーム管理、コードブックに基づく伝送、非コードブックに基づく伝送とアンテナの切り替えなどの機能のうちの少なくとも一つを含む。
【００６１】
ここで、上記ＳＲＳリソースセットに対応する非周期トリガ状態はＳＲＳリソースセットの非周期伝送をトリガすることに用いられる。具体的には、ＤＣＩにおけるＳＲＳトリガシグナリングがある非周期トリガ状態を示す場合、ユーザ装置は該非周期トリガ状態に対応する一つ又は複数のＳＲＳリソースセットで非周期ＳＲＳ伝送を行う必要がある。
【００６２】
本出願の一実施例では、上記ＳＲＳリソースの配置は、ＳＲＳリソースの時間周波数リソース配置、ＳＲＳリソースのシーケンス配置、ＳＲＳリソースのアンテナポート配置、ＳＲＳリソースの周期性配置、ＳＲＳリソースの空間相関性配置、ＳＲＳリソースに対応する非周期トリガ状態のうちの少なくとも一つを含む。
【００６３】
本出願の一実施例では、前記方法はさらに、
上記アップリンクＢＷＰを活性化するＤＣＩに非周期ＳＲＳトリガシグナリングが含まれる場合、ユーザ装置は上記アップリンクＢＷＰに対応する少なくとも一つのＳＲＳリソースセットを上記非周期ＳＲＳトリガシグナリングによってトリガされたＳＲＳ伝送を搬送するＳＲＳリソースセットとすることを含む。
【００６４】
例えば、上記アップリンクＢＷＰを活性化するＤＣＩがＤＣＩ−１であり、ＤＣＩ−１に非周期ＳＲＳトリガシグナリングが含まれると仮定する。上記アップリンクＢＷＰに対応するＳＲＳリソースセットがＳＲＳリソースセット１であり、上記非周期ＳＲＳトリガ命令によってトリガされたＳＲＳ伝送がＳＲＳ伝送１であると仮定する場合、ユーザ装置はＳＲＳリソースセット１をＳＲＳ伝送１を搬送するＳＲＳリソースセットとする。また、例えば、上記アップリンクＢＷＰを活性化するＤＣＩがＤＣＩ−１であり、ＤＣＩ−１に非周期ＳＲＳトリガシグナリングが含まれると仮定する。上記アップリンクＢＷＰに対応するＳＲＳリソースセットがＳＲＳリソースセット１とＳＲＳリソースセット２であり、上記非周期ＳＲＳトリガ命令によってトリガされたＳＲＳ伝送がＳＲＳ伝送１であると仮定する場合、ユーザ装置はＳＲＳリソースセット１とＳＲＳリソースセット２又はその中の一つをＳＲＳ伝送１を搬送するＳＲＳリソースセットとする。
【００６５】
本出願の一実施例では、ユーザ装置が上記アップリンクＢＷＰに対応する少なくとも一つのＳＲＳリソースセットを上記非周期ＳＲＳトリガシグナリングによってトリガされたＳＲＳ伝送を搬送するＳＲＳリソースセットとする具体的な実施形態は以下のとりである。
【００６６】
ユーザ装置は上記非周期ＳＲＳトリガシグナリングに示されたＳＲＳリソースセットを上記非周期ＳＲＳトリガシグナリングによってトリガされたＳＲＳ伝送を搬送するＳＲＳリソースセットとする。
【００６７】
具体的には、ＤＣＩにＢＷＰ指示情報と非周期ＳＲＳトリガシグナリング、該ＢＷＰ指示情報に示された上記アップリンクＢＷＰに含まれる少なくとも一つのＳＲＳリソースセットが同時に含まれると仮定する場合、ユーザ装置は該少なくとも一つのＳＲＳリソースセットにおける非周期ＳＲＳトリガシグナリングに示されたＳＲＳリソースセットを、該非周期ＳＲＳトリガシグナリングによってトリガされたＳＲＳ伝送を搬送するＳＲＳリソースセットとする。
【００６８】
例えば、ＢＷＰ指示情報に示された上記アップリンクＢＷＰが３つのＳＲＳリソースセットを有し、ネットワーク装置からユーザ装置に送信されたＤＣＩに２ビットの非周期トリガシグナリングが含まれ、この２ビットの非周期トリガシグナリングのうちの３つの状態がそれぞれこの３つのＳＲＳリソースセットのうちの一つのＳＲＳリソースセットに対応すると仮定する場合、ユーザ装置は２ビットの非周期トリガシグナリングに示された状態に応じて対応する一つのＳＲＳリソースセットを確定し、その後確定されたＳＲＳリソースセットが該非周期ＳＲＳトリガシグナリングによってトリガされたＳＲＳ伝送を搬送することに用いられる。例えば、００がＳＲＳリソースセット１に対応し、０１がＳＲＳリソースセット２に対応し、１０がＳＲＳリソースセット３に対応し、１１が非周期ＳＲＳをトリガすることに対応し、ネットワーク装置からユーザ装置に送信されたＤＣＩに含まれる２ビットの非周期ＳＲＳトリガシグナリングが１１であると仮定する場合、ユーザ装置は該２ビットの非周期ＳＲＳトリガシグナリングに応じてＳＲＳリソースセット３を該２ビットの非周期ＳＲＳトリガシグナリングによってトリガされたＳＲＳ伝送を搬送するＳＲＳリソースセットとする。
【００６９】
また、例えば、ユーザ装置はＢＷＰ１でＢＷＰ１に対応するＳＲＳリソース配置に基づいてＳＲＳ伝送を周期的に伝送し始め、ユーザ装置はＢＷＰ指示情報が含まれるＤＣＩを受信した後、該ＢＷＰ指示情報に示されたＢＷＰ２に切り替えられ、ＢＷＰ２に対応するＳＲＳリソース配置に基づいてＳＲＳ伝送を周期的に伝送する必要がある。ＢＷＰ１とＢＷＰ２に対応するＳＲＳリソース配置はネットワーク装置が上位層シグナリングにより予めそれぞれ配置され、ＢＷＰ１とＢＷＰ２に対応するＳＲＳリソースは異なる周期とタイムスロットオフセットを有することができる。
【００７０】
本出願の一実施例では、上記ＳＲＳパラメータ配置がＳＲＳリソースセットの電力制御パラメータ配置を含み、ユーザ装置が上記ＳＲＳパラメータ配置に基づいて上記アップリンクＢＷＰでＳＲＳを伝送する具体的な実施形態は以下の通りである。
【００７１】
ユーザ装置が上記ＳＲＳリソースセットの電力制御パラメータ配置に基づき、上記ＳＲＳリソースセットでＳＲＳを伝送するための送信電力を確定し、ユーザ装置が確定された上記送信電力に基づいて上記アップリンクＢＷＰでＳＲＳを伝送する。
【００７２】
例えば、アップリンクＢＷＰに対応するＳＲＳリソースセットの電力制御パラメータ配置がｘであり、ユーザ装置が該配置に基づいて確定した送信電力がＰであると仮定する場合、ユーザ装置は上記アップリンクＢＷＰに含まれる上記ＳＲＳリソースセットでＳＲＳを伝送するための送信電力を確定する。
【００７３】
本出願の一実施例では、上記ＳＲＳパラメータ配置がＳＲＳリソースセットの機能配置を含み、ユーザ装置が上記ＳＲＳパラメータ配置に基づいて上記アップリンクＢＷＰでＳＲＳを伝送する具体的な実施形態は以下の通りである。
【００７４】
ユーザ装置が上記ＳＲＳリソースセットの機能配置に基づき、上記ＳＲＳリソースセットでＳＲＳを伝送するためのアンテナポート、送信ビーム又はＳＲＳリソース数を確定し、ユーザ装置が確定された上記アンテナポート、上記送信ビーム又は上記ＳＲＳリソース数に基づいて上記アップリンクＢＷＰでＳＲＳを伝送する。
【００７５】
具体的には、上記ＳＲＳリソースセットの機能配置がビーム管理である場合、ユーザ装置はＳＲＳを伝送するためのアンテナポートが１、２又は４であることを確定し、同時に該ＳＲＳリソースセットにおいて異なるＳＲＳリソースが異なるビームを用いてＳＲＳを伝送することができる。
【００７６】
また、上記ＳＲＳリソースセットの機能配置がコードブック伝送である場合、ユーザ装置はＳＲＳを伝送するためのアンテナポートが１、２又は４であることを確定し、同時に該ＳＲＳリソースセットに最大２つのＳＲＳリソースが含まれる。
【００７７】
また、上記ＳＲＳリソースセットの機能配置が非コードブック伝送である場合、ユーザ装置はＳＲＳを伝送するためのアンテナポートが１であることを確定し、同時に該ＳＲＳリソースセットに最大２つのＳＲＳリソースが含まれる。
【００７８】
また、上記ＳＲＳリソースセットの機能配置がアンテナの切り替えである場合、ユーザ装置はＳＲＳを伝送するためのアンテナポートが１又は２であることを確定し、同時に該ＳＲＳリソースセットに最大２つのＳＲＳリソースが含まれ、且つ異なるＳＲＳリソースが異なるアンテナポートに対応する。
【００７９】
本出願の一実施例では、上記ＳＲＳパラメータ配置がＳＲＳリソースセットに対応する非周期トリガ状態を含み、ユーザ装置が上記ＳＲＳパラメータ配置に基づいて上記アップリンクＢＷＰでＳＲＳを伝送する具体的な実施形態は以下の通りである。
【００８０】
ユーザ装置が上記ＳＲＳリソースセットに対応する非周期トリガ状態と上記非周期ＳＲＳトリガシグナリングに応じて上記アップリンクＢＷＰで非周期ＳＲＳ伝送を行うためのＳＲＳリソースセットを確定し、ユーザ装置が確定された上記ＳＲＳリソースセットに基づいて上記アップリンクＢＷＰでＳＲＳを伝送する。
【００８１】
例えば、ネットワーク装置が上位層シグナリングによりユーザ装置に３つのＳＲＳリソースセットを予め配置し、ＳＲＳリソースセット１に対応する非周期トリガ状態が００であり、ＳＲＳリソースセット２に対応する非周期トリガ状態が０１であり、ＳＲＳリソースセット３に対応する非周期トリガ状態が１０である場合、ユーザ装置は該非周期ＳＲＳトリガシグナリングに示された状態に応じて、この３つのセットから上記アップリンクＢＷＰで非周期ＳＲＳ伝送を行うためのターゲットＳＲＳリソースセットを確定する。例えば、非周期ＳＲＳトリガシグナリングに示された状態が００である場合、ターゲットＳＲＳリソースセットがＳＲＳリソースセット１であり、また、例えば非周期ＳＲＳトリガシグナリングに示された状態が１０である場合、ターゲットＳＲＳリソースセットはＳＲＳリソースセット３であり、これによって類推する。
【００８２】
本出願の一実施例では、上記ＳＲＳパラメータ配置がＳＲＳリソースセットに関連付けられたＣＳＩ−ＲＳリソース配置を含み、ユーザ装置が上記ＳＲＳパラメータ配置に基づいて上記アップリンクＢＷＰでＳＲＳを伝送する具体的な実施形態は以下の通りである。
【００８３】
ユーザ装置が上記ＳＲＳリソースセットに関連付けられたＣＳＩ−ＲＳリソース配置に基づき、上記ＳＲＳリソースセットでＳＲＳを伝送するためのビーム及び／又はプリコーディング行列を確定し、ユーザ装置が確定された上記ビーム及び／又は上記プリコーディング行列に基づいて前記アップリンクＢＷＰでＳＲＳを伝送する。
【００８４】
具体的には、ユーザ装置はＣＳＩ−ＲＳリソース配置に基づいてダウンリンクチャネル情報を取得し、その後ユーザ装置は取得されたダウンリンクチャネル情報及びチャンネル相互性に基づいてＳＲＳ伝送のためのビーム及び／又はプリコーディング行列を計算し、最後計算された上記ビーム及び／又は上記プリコーディング行列を上記アップリンクＢＷＰに含まれるＳＲＳリソースセットでのＳＲＳ伝送に用いる。
【００８５】
本出願の一実施例では、上記ＳＲＳパラメータ配置がＳＲＳリソースに対応する非周期トリガ状態を含み、ユーザ装置が上記ＳＲＳパラメータ配置に基づいて上記アップリンクＢＷＰでＳＲＳを伝送する具体的な実施形態は以下の通りである。
【００８６】
ユーザ装置が上記ＳＲＳリソースに対応する非周期トリガ状態と上記非周期ＳＲＳトリガシグナリングに応じて上記アップリンクＢＷＰで非周期ＳＲＳ伝送を行うためのＳＲＳリソースを確定し、ユーザ装置が確定された上記ＳＲＳリソースに基づいて前記アップリンクＢＷＰでＳＲＳを伝送する。
【００８７】
例えば、ネットワーク装置がユーザ装置に５つのＳＲＳリソースを予め配置し、ＳＲＳリソース１とＳＲＳリソース３に対応する非周期トリガ状態が００であり、ＳＲＳリソース２とＳＲＳリソース４に対応する非周期トリガ状態が０１であり、ＳＲＳリソース５に対応する非周期トリガ状態が１０である場合、ユーザ装置は上記非周期ＳＲＳトリガシグナリングに示された状態に応じて、この５つのリソースから上記アップリンクＢＷＰで非周期ＳＲＳ伝送を行うためのターゲットＳＲＳリソースを確定する。例えば、非周期ＳＲＳトリガシグナリングに示された状態が００である場合、ターゲットＳＲＳリソースはＳＲＳリソース１とＳＲＳリソース３であり、非周期ＳＲＳトリガシグナリングに示された状態が１０である場合、ターゲットＳＲＳリソースはＳＲＳリソース５であり、これによって類推する。
【００８８】
本出願の一実施例では、上記ＳＲＳパラメータ配置がＳＲＳリソースの時間周波数リソース配置を含み、ユーザ装置が上記ＳＲＳパラメータ配置に基づいて前記アップリンクＢＷＰでＳＲＳを伝送する具体的な実施形態は以下の通りである。
【００８９】
ユーザ装置が上記ＳＲＳリソースの時間周波数リソース配置と上記アップリンクＢＷＰの帯域幅の大きさに基づき、前記ＳＲＳリソースでＳＲＳを伝送するための帯域幅を確定し、ユーザ装置が確定された上記帯域幅に基づいて上記アップリンクＢＷＰでＳＲＳを伝送する。
【００９０】
具体的には、上記ＳＲＳリソースの時間周波数リソース配置はＳＲＳリソースのＳＲＳ帯域幅配置及び／又はＳＲＳ周波数領域周波数ホッピング配置を含む。ユーザ装置は前記アップリンクＢＷＰの帯域幅の大きさに基づき、上記ＳＲＳリソースでＳＲＳを伝送するための最大伝送帯域幅を確定する。該最大伝送帯域幅範囲で、ユーザ装置は上記ＳＲＳ帯域幅配置又は周波数領域周波数ホッピング配置に基づき、上記ＳＲＳリソースでＳＲＳを伝送するための帯域幅を確定し、その後確定された帯域幅に基づいて上記アップリンクＢＷＰでＳＲＳを伝送する。
【００９１】
本出願の一実施例では、上記ＳＲＳパラメータ配置がＳＲＳリソースの空間相関パラメータを含み、ユーザ装置が上記ＳＲＳパラメータ配置に基づいて前記アップリンクＢＷＰでＳＲＳを伝送する具体的な実施形態は以下の通りである。
【００９２】
ユーザ装置が上記ＳＲＳリソースの空間相関パラメータに基づいて上記ＳＲＳリソース空間に関連付けられたターゲットＳＲＳリソース、ＣＳＩ−ＲＳリソース又は同期信号ブロック（ＳＳＢ：Ｓｙｎｃｈｒｏｎｉｚａｔｉｏｎ  Ｓｉｇｎａｌ  Ｂｌｏｃｋ）を確定し、
ユーザ装置が上記ターゲットＳＲＳリソース、上記ＣＳＩ−ＲＳリソース又は上記ＳＳＢに基づき、上記ＳＲＳリソースの送信ビームを確定し、
ユーザ装置が確定された上記送信ビームに基づいて上記アップリンクＢＷＰでＳＲＳを伝送する。
【００９３】
さらに、ユーザ装置が上記ターゲットＳＲＳリソース、上記ＣＳＩ−ＲＳリソース又は上記ＳＳＢに基づき、上記ＳＲＳリソースの送信ビームを確定する具体的な実施形態は以下の通りである。
【００９４】
ユーザ装置が上記ターゲットＳＲＳリソースの送信ビームを上記ＳＲＳリソースの送信ビームとし、又は、
ユーザ装置が上記ＣＳＩ−ＲＳリソースの受信ビームを上記ＳＲＳリソースの送信ビームとし、又は、
ユーザ装置が上記ＳＳＢの受信ビームを上記ＳＲＳリソースの送信ビームとする。
【００９５】
本出願の一実施例では、上記ＳＲＳパラメータ配置がＳＲＳリソースのシーケンス配置を含み、ユーザ装置が上記ＳＲＳパラメータ配置に基づいて前記アップリンクＢＷＰでＳＲＳを伝送する具体的な実施形態は以下の通りである。
【００９６】
ユーザ装置が上記ＳＲＳリソースのシーケンス配置に基づき、上記ＳＲＳリソースでＳＲＳを伝送するためのＳＲＳシーケンスを確定し、ユーザ装置が確定された上記ＳＲＳシーケンスに基づいて上記アップリンクＢＷＰでＳＲＳを伝送する。
【００９７】
本出願の一実施例では、上記ＳＲＳパラメータ配置がＳＲＳリソースの周期性配置を含み、ユーザ装置が上記ＳＲＳパラメータ配置に基づいて前記アップリンクＢＷＰでＳＲＳを伝送する具体的な実施形態は以下の通りである。
【００９８】
ユーザ装置が上記ＳＲＳリソースの周期性配置に基づき、前記アップリンクＳＲＳリソースでＳＲＳを伝送する周期的行為を確定し、ユーザ装置が確定された上記周期的行為に基づいて上記アップリンクＢＷＰでＳＲＳを伝送する。
【００９９】
具体的には、上記ＳＲＳリソースの周期性配置が周期的である場合、ユーザ装置は上記アップリンクＢＷＰで周期的ＳＲＳ伝送を行う。また、上記ＳＲＳリソースの周期性配置が準持続的である場合、ユーザ装置は上記アップリンクＢＷＰで準持続的ＳＲＳ伝送を行う。また、上記ＳＲＳリソースの周期性配置が非周期的である場合、ユーザ装置は上記アップリンクＢＷＰで非周期ＳＲＳ伝送を行う。
【０１００】
これにより、本出願では、まず、ネットワーク装置はユーザ装置の各ＢＷＰに一つのＳＲＳパラメータ配置をそれぞれ配置することができ、次に、ユーザ装置があるＢＷＰに動的に切り替えられてＳＲＳを伝送する場合、ユーザ装置は該あるＢＷＰに対応するＳＲＳパラメータ配置をＳＲＳ伝送のためのＳＲＳパラメータ配置とすることができ、最後、ユーザ装置は該あるＢＷＰに対応するＳＲＳパラメータ配置に基づいて該あるＢＷＰでＳＲＳを伝送する。このようにして異なるＢＷＰでのＳＲＳ伝送のために異なるＳＲＳパラメータ配置を用いることができ、さらにＳＲＳ伝送の柔軟性を向上させる。
【０１０１】
説明すべきものとして、本出願で記載される例は解釈に用いられるものだけであり、限定を構成しない。
【０１０２】
図５を参照すると、図５は本出願の実施例によるユーザ装置５００であり、該ユーザ装置５００が一つ又は複数のプロセッサ、一つ又は複数のメモリ、一つ又は複数の送受信機、及び一つ又は複数のプログラムを備え、
前記一つ又は複数のプログラムが前記メモリに記憶され、且つ前記一つ又は複数のプロセッサによって実行されるように構成され、
前記プログラムが以下のステップを実行するための命令を含む。
【０１０３】
現在の活性化のアップリンクＢＷＰを確定する。
【０１０４】
前記の現在の活性化のアップリンクＢＷＰに対応するＳＲＳパラメータ配置を確定する。
【０１０５】
前記ＳＲＳパラメータ配置に基づいて前記アップリンクＢＷＰでＳＲＳを伝送する。
【０１０６】
本出願の一実施例では、現在の活性化のアップリンク帯域幅ＢＷＰを確定する方面において、前記プログラムは具体的に以下のステップを実行するための命令を含む。
【０１０７】
ＢＷＰ指示情報に基づいて現在の活性化のアップリンクＢＷＰを確定し、直近受信された、アップリンク伝送をスケジューリングするためのＤＣＩが前記ＢＷＰ指示情報を含む。
【０１０８】
本出願の一実施例では、前記プログラムがさらに以下のステップを実行するための命令を含む。
【０１０９】
ネットワーク装置から送信された上位層シグナリングを受信し、前記上位層シグナリングが前記ユーザ装置の各アップリンクＢＷＰのために、対応するＳＲＳパラメータ配置を配置することに用いられる。
【０１１０】
前記現在の活性化のアップリンクＢＷＰに対応するＳＲＳパラメータ配置を確定する方面において、前記プログラムは具体的に以下のステップを実行するための命令を含む。
【０１１１】
前記上位層シグナリングに基づいて前記現在の活性化のアップリンクＢＷＰに対応するＳＲＳパラメータ配置を確定する。
【０１１２】
本出願の一実施例では、前記ＳＲＳパラメータ配置は前記アップリンクＢＷＰに含まれる少なくとも一つのＳＲＳリソースセットの配置及び／又は前記アップリンクＢＷＰに含まれる少なくとも一つのＳＲＳリソースの配置を含む。
【０１１３】
本出願の一実施例では、前記ＳＲＳリソースセットの配置は、ＳＲＳリソースセットの電力制御パラメータ配置、ＳＲＳリソースセットの機能配置、ＳＲＳリソースセットに対応する非周期トリガ状態、ＳＲＳリソースセットに関連付けられたチャネル状態情報基準信号（ＣＳＩ−ＲＳ）のうちの少なくとも一つを含む。
【０１１４】
本出願の一実施例では、前記ＳＲＳリソースの配置は、ＳＲＳリソースの時間周波数リソース配置、ＳＲＳリソースのシーケンス配置、ＳＲＳリソースのアンテナポート配置、ＳＲＳリソースの周期性配置、ＳＲＳリソースの空間相関性配置、ＳＲＳリソースに対応する非周期トリガ状態のうちの少なくとも一つを含む。
【０１１５】
本出願の一実施例では、前記プログラムがさらに以下のステップを実行するための命令を含む。
【０１１６】
前記アップリンクＢＷＰを活性化するＤＣＩに非周期ＳＲＳトリガシグナリングが含まれる場合、前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとする。
【０１１７】
本出願の一実施例では、前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとする方面において、前記プログラムは具体的に以下のステップを実行するための命令を含む。
【０１１８】
前記非周期ＳＲＳトリガシグナリングに示されたＳＲＳリソースセットを前記非周期ＳＲＳトリガシグナリングによってトリガされたＳＲＳ伝送を搬送するＳＲＳリソースセットとする。
【０１１９】
本出願の一実施例では、前記ＳＲＳパラメータ配置が前記ＳＲＳリソースセットの電力制御パラメータ配置を含み、前記ＳＲＳパラメータ配置に基づいて前記アップリンクＢＷＰでＳＲＳを伝送する方面において、前記プログラムは具体的に以下のステップを実行するための命令を含む。
【０１２０】
前記ＳＲＳリソースセットの電力制御パラメータ配置に基づき、前記ＳＲＳリソースセットでＳＲＳを伝送するための送信電力を確定する。
【０１２１】
確定された前記送信電力に基づいて前記アップリンクＢＷＰでＳＲＳを伝送する。
【０１２２】
本出願の一実施例では、前記ＳＲＳパラメータ配置が前記ＳＲＳリソースセットの機能配置を含み、前記ＳＲＳパラメータ配置に基づいて前記アップリンクＢＷＰでＳＲＳを伝送する方面において、前記プログラムは具体的に以下のステップを実行するための命令を含む。
【０１２３】
前記ＳＲＳリソースセットの機能配置に基づき、前記ＳＲＳリソースセットでＳＲＳを伝送するためのアンテナポート、送信ビーム又はＳＲＳリソース数を確定する。
【０１２４】
確定された前記アンテナポート、前記送信ビーム又は前記ＳＲＳリソース数に基づいて前記アップリンクＢＷＰでＳＲＳを伝送する。
【０１２５】
本出願の一実施例では、前記ＳＲＳパラメータ配置が前記ＳＲＳリソースセットに対応する非周期トリガ状態を含み、前記ＳＲＳパラメータ配置に基づいて前記アップリンクＢＷＰでＳＲＳを伝送する方面において、前記プログラムは具体的に以下のステップを実行するための命令を含む。
【０１２６】
前記ＳＲＳリソースセットに対応する非周期トリガ状態と前記非周期ＳＲＳトリガシグナリングに応じて前記アップリンクＢＷＰで非周期ＳＲＳ伝送を行うためのＳＲＳリソースセットを確定する。
【０１２７】
確定された前記ＳＲＳリソースセットに基づいて前記アップリンクＢＷＰでＳＲＳを伝送する。
【０１２８】
本出願の一実施例では、前記ＳＲＳパラメータ配置が前記ＳＲＳリソースセットに関連付けられたＣＳＩ−ＲＳリソース配置を含み、前記ＳＲＳパラメータ配置に基づいて前記アップリンクＢＷＰでＳＲＳを伝送する方面において、前記プログラムは具体的に以下のステップを実行するための命令を含む。
【０１２９】
前記ＳＲＳリソースセットに関連付けられたＣＳＩ−ＲＳリソース配置に基づき、前記ＳＲＳリソースセットでＳＲＳを伝送するためのビーム及び／又はプリコーディング行列を確定する。
【０１３０】
確定された前記ビーム及び／又は前記プリコーディング行列に基づいて前記アップリンクＢＷＰでＳＲＳを伝送する。
【０１３１】
本出願の一実施例では、前記ＳＲＳパラメータ配置が前記ＳＲＳリソースに対応する非周期トリガ状態を含み、前記ＳＲＳパラメータ配置に基づいて前記アップリンクＢＷＰでＳＲＳを伝送する方面において、前記プログラムは具体的に以下のステップを実行するための命令を含む。
【０１３２】
前記ＳＲＳリソースに対応する非周期トリガ状態と前記非周期ＳＲＳトリガシグナリングに応じて前記アップリンクＢＷＰで非周期ＳＲＳ伝送を行うためのＳＲＳリソースを確定する。
【０１３３】
確定された前記ＳＲＳリソースに基づいて前記アップリンクＢＷＰでＳＲＳを伝送する。
【０１３４】
本出願の一実施例では、前記ＳＲＳパラメータ配置が前記ＳＲＳリソースの時間周波数リソース配置を含み、前記ＳＲＳパラメータ配置に基づいて前記アップリンクＢＷＰでＳＲＳを伝送する方面において、前記プログラムは具体的に以下のステップを実行するための命令を含む。
【０１３５】
前記ＳＲＳリソースの時間周波数リソース配置と前記アップリンクＢＷＰの帯域幅の大きさに基づき、前記ＳＲＳリソースでＳＲＳを伝送するための帯域幅を確定する。
【０１３６】
確定された前記帯域幅に基づいて前記アップリンクＢＷＰでＳＲＳを伝送する。
【０１３７】
本出願の一実施例では、前記ＳＲＳパラメータ配置が前記ＳＲＳリソースの空間相関パラメータを含み、前記ＳＲＳパラメータ配置に基づいて前記アップリンクＢＷＰでＳＲＳを伝送する方面において、前記プログラムは具体的に以下のステップを実行するための命令を含む。
【０１３８】
前記ＳＲＳリソースの空間相関パラメータに基づいて前記ＳＲＳリソース空間と関連するターゲットＳＲＳリソース、ＣＳＩ−ＲＳリソース又は同期信号ブロック（ＳＳＢ）を確定する。
【０１３９】
前記ターゲットＳＲＳリソース、前記ＣＳＩ−ＲＳリソース又は前記ＳＳＢに基づき、前記ＳＲＳリソースの送信ビームを確定する。
【０１４０】
確定された前記送信ビームに基づいて前記アップリンクＢＷＰでＳＲＳを伝送する。
【０１４１】
本出願の一実施例では、前記ＳＲＳパラメータ配置が前記ＳＲＳリソースのシーケンス配置を含み、前記ＳＲＳパラメータ配置に基づいて前記アップリンクＢＷＰでＳＲＳを伝送する方面において、前記プログラムは具体的に以下のステップを実行するための命令を含む。
【０１４２】
前記ＳＲＳリソースのシーケンス配置に基づき、前記ＳＲＳリソースでＳＲＳを伝送するためのＳＲＳシーケンスを確定する。
【０１４３】
確定された前記ＳＲＳシーケンスに基づいて前記アップリンクＢＷＰでＳＲＳを伝送する。
【０１４４】
本出願の一実施例では、前記ＳＲＳパラメータ配置が前記ＳＲＳリソースの周期性配置を含み、前記ＳＲＳパラメータ配置に基づいて前記アップリンクＢＷＰでＳＲＳを伝送する方面において、前記プログラムは具体的に以下のステップを実行するための命令を含む。
【０１４５】
前記ＳＲＳリソースの周期性配置に基づき、前記ＳＲＳリソースでＳＲＳを伝送する周期的行為を確定する。
【０１４６】
確定された前記周期的行為に基づいて前記アップリンクＢＷＰでＳＲＳを伝送する。
【０１４７】
説明すべきものとして、本実施例で記載される内容の具体的な実施形態について上記方法を参照でき、ここで述べない。
【０１４８】
図６を参照すると、図６は本出願の実施例によるユーザ装置６００であり、ユーザ装置６００が処理ユニット６０１、通信ユニット６０２と記憶ユニット６０３を備え、ここで、
処理ユニット６０１が現在の活性化のアップリンクＢＷＰを確定するように構成され、
処理ユニット６０１がさらに前記の現在の活性化のアップリンクＢＷＰに対応するＳＲＳパラメータ配置を確定するように構成され、
処理ユニット６０１がさらに前記ＳＲＳパラメータ配置に基づいて通信ユニット６０２を介して前記アップリンクＢＷＰでＳＲＳを伝送するように構成される。
【０１４９】
本出願の一実施例では、現在の活性化のアップリンク帯域幅ＢＷＰを確定する方面において、処理ユニット６０１は具体的に、
ＢＷＰ指示情報に基づいて現在の活性化のアップリンクＢＷＰを確定するように構成され、直近受信された、アップリンク伝送をスケジューリングするためのＤＣＩが前記ＢＷＰ指示情報を含む。
【０１５０】
本出願の一実施例では、処理ユニット６０１はさらに通信ユニット６０２を介してネットワーク装置から送信された上位層シグナリングを受信するように構成され、前記上位層シグナリングが前記ユーザ装置の各アップリンクＢＷＰのために、対応するＳＲＳパラメータ配置を配置することに用いられ、
前記の現在の活性化のアップリンクＢＷＰに対応するＳＲＳパラメータ配置を確定する方面において、処理ユニット６０１は具体的に、
前記上位層シグナリングに基づいて前記現在の活性化のアップリンクＢＷＰに対応するＳＲＳパラメータ配置を確定するように構成される。
【０１５１】
本出願の一実施例では、前記ＳＲＳパラメータ配置は前記アップリンクＢＷＰに含まれる少なくとも一つのＳＲＳリソースセットの配置及び／又は前記アップリンクＢＷＰに含まれる少なくとも一つのＳＲＳリソースの配置を含む。
【０１５２】
本出願の一実施例では、前記ＳＲＳリソースセットの配置は、ＳＲＳリソースセットの電力制御パラメータ配置、ＳＲＳリソースセットの機能配置、ＳＲＳリソースセットに対応する非周期トリガ状態、ＳＲＳリソースセットに関連付けられたチャネル状態情報基準信号（ＣＳＩ−ＲＳ）のうちの少なくとも一つを含む。
【０１５３】
本出願の一実施例では、前記ＳＲＳリソースの配置は、ＳＲＳリソースの時間周波数リソース配置、ＳＲＳリソースのシーケンス配置、ＳＲＳリソースのアンテナポート配置、ＳＲＳリソースの周期性配置、ＳＲＳリソースの空間相関性配置、ＳＲＳリソースに対応する非周期トリガ状態のうちの少なくとも一つを含む。
【０１５４】
本出願の一実施例では、処理ユニット６０１はさらに前記アップリンクＢＷＰを活性化するＤＣＩに非周期ＳＲＳトリガシグナリングが含まれる場合、前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとするように構成される。
【０１５５】
本出願の一実施例では、前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとする方面において、処理ユニット６０１は具体的に、
前記非周期ＳＲＳトリガシグナリングに示されたＳＲＳリソースセットを前記非周期ＳＲＳトリガシグナリングによってトリガされたＳＲＳ伝送を搬送するＳＲＳリソースセットとするように構成される。
【０１５６】
本出願の一実施例では、前記ＳＲＳパラメータ配置が前記ＳＲＳリソースセットの電力制御パラメータ配置を含み、前記ＳＲＳパラメータ配置に基づいて前記アップリンクＢＷＰでＳＲＳを伝送する方面において、処理ユニット６０１は具体的に、
前記ＳＲＳリソースセットの電力制御パラメータ配置に基づき、前記ＳＲＳリソースセットでＳＲＳを伝送するための送信電力を確定し、
確定された前記送信電力に基づいて前記アップリンクＢＷＰでＳＲＳを伝送するように構成される。
【０１５７】
本出願の一実施例では、前記ＳＲＳパラメータ配置が前記ＳＲＳリソースセットの機能配置を含み、前記ＳＲＳパラメータ配置に基づいて前記アップリンクＢＷＰでＳＲＳを伝送する方面において、処理ユニット６０１は具体的に、
前記ＳＲＳリソースセットの機能配置に基づき、前記ＳＲＳリソースセットでＳＲＳを伝送するためのアンテナポート、送信ビーム又はＳＲＳリソース数を確定し、
確定された前記アンテナポート、前記送信ビーム又は前記ＳＲＳリソース数に基づいて前記アップリンクＢＷＰでＳＲＳを伝送するように構成される。
【０１５８】
本出願の一実施例では、前記ＳＲＳパラメータ配置が前記ＳＲＳリソースセットに対応する非周期トリガ状態を含み、前記ＳＲＳパラメータ配置に基づいて前記アップリンクＢＷＰでＳＲＳを伝送する方面において、処理ユニット６０１は具体的に、
前記ＳＲＳリソースセットに対応する非周期トリガ状態と前記非周期ＳＲＳトリガシグナリングに応じて前記アップリンクＢＷＰで非周期ＳＲＳ伝送を行うためのＳＲＳリソースセットを確定し、
確定された前記ＳＲＳリソースセットに基づいて前記アップリンクＢＷＰでＳＲＳを伝送するように構成される。
【０１５９】
本出願の一実施例では、前記ＳＲＳパラメータ配置が前記ＳＲＳリソースセットに関連付けられたＣＳＩ−ＲＳリソース配置を含み、前記ＳＲＳパラメータ配置に基づいて前記アップリンクＢＷＰでＳＲＳを伝送する方面において、処理ユニット６０１は具体的に、
前記ＳＲＳリソースセットに関連付けられたＣＳＩ−ＲＳリソース配置に基づき、前記ＳＲＳリソースセットでＳＲＳを伝送するためのビーム及び／又はプリコーディング行列を確定し、
確定された前記ビーム及び／又は前記プリコーディング行列に基づいて前記アップリンクＢＷＰでＳＲＳを伝送するように構成される。
【０１６０】
本出願の一実施例では、前記ＳＲＳパラメータ配置が前記ＳＲＳリソースに対応する非周期トリガ状態を含み、前記ＳＲＳパラメータ配置に基づいて前記アップリンクＢＷＰでＳＲＳを伝送する方面において、処理ユニット６０１は具体的に、
前記ＳＲＳリソースに対応する非周期トリガ状態と前記非周期ＳＲＳトリガシグナリングに応じて前記アップリンクＢＷＰで非周期ＳＲＳ伝送を行うためのＳＲＳリソースを確定し、
確定された前記ＳＲＳリソースに基づいて前記アップリンクＢＷＰでＳＲＳを伝送するように構成される。
【０１６１】
本出願の一実施例では、前記ＳＲＳパラメータ配置が前記ＳＲＳリソースの時間周波数リソース配置を含み、前記ＳＲＳパラメータ配置に基づいて前記アップリンクＢＷＰでＳＲＳを伝送する方面において、処理ユニット６０１は具体的に、
前記ＳＲＳリソースの時間周波数リソース配置と前記アップリンクＢＷＰの帯域幅の大きさに基づき、前記ＳＲＳリソースでＳＲＳを伝送するための帯域幅を確定し、
確定された前記帯域幅に基づいて前記アップリンクＢＷＰでＳＲＳを伝送するように構成される。
【０１６２】
本出願の一実施例では、前記ＳＲＳパラメータ配置が前記ＳＲＳリソースの空間相関パラメータを含み、前記ＳＲＳパラメータ配置に基づいて前記アップリンクＢＷＰでＳＲＳを伝送する方面において、処理ユニット６０１は具体的に、
前記ＳＲＳリソースの空間相関パラメータに基づいて前記ＳＲＳリソース空間と関連するターゲットＳＲＳリソース、ＣＳＩ−ＲＳリソース又は同期信号ブロック（ＳＳＢ）を確定し、
前記ターゲットＳＲＳリソース、前記ＣＳＩ−ＲＳリソース又は前記ＳＳＢに基づき、前記ＳＲＳリソースの送信ビームを確定し、
確定された前記送信ビームに基づいて前記アップリンクＢＷＰでＳＲＳを伝送するように構成される。
【０１６３】
本出願の一実施例では、前記ＳＲＳパラメータ配置が前記ＳＲＳリソースのシーケンス配置を含み、前記ＳＲＳパラメータ配置に基づいて前記アップリンクＢＷＰでＳＲＳを伝送する方面において、処理ユニット６０１は具体的に、
前記ＳＲＳリソースのシーケンス配置に基づき、前記ＳＲＳリソースでＳＲＳを伝送するためのＳＲＳシーケンスを確定し、
確定された前記ＳＲＳシーケンスに基づいて前記アップリンクＢＷＰでＳＲＳを伝送するように構成される。
【０１６４】
本出願の一実施例では、前記ＳＲＳパラメータ配置が前記ＳＲＳリソースの周期性配置を含み、前記ＳＲＳパラメータ配置に基づいて前記アップリンクＢＷＰでＳＲＳを伝送する方面において、処理ユニット６０１は具体的に、
前記ＳＲＳリソースの周期性配置に基づき、前記ＳＲＳリソースでＳＲＳを伝送する周期的行為を確定し、
確定された前記周期的行為に基づいて前記アップリンクＢＷＰでＳＲＳを伝送するように構成される。
【０１６５】
ここで、処理ユニット６０１は、プロセッサ又はコントローラであってもよく、例えば中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、トランジスタ論理デバイス、トランジスタロジックデバイス、ハードウェア部材又はそれらの任意の組み合わせであってもよい。それは本出願で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサ、ＤＳＰとマイクロプロセッサの組み合わせなどを含む。通信ユニット６０２は送受信機、送受信回路、ＲＦチップ、通信インタフェースなどであってもよく、記憶ユニット６０３はメモリであってもよい。
【０１６６】
処理ユニット６０１がプロセッサであり、通信ユニット６０２が通信インタフェースであり、記憶ユニット６０３がメモリである場合、本出願の実施例に係るユーザ装置は図５に示すユーザ装置であってもよい。
【０１６７】
本出願の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例における第一のネットワーク装置で説明された一部又は全てのステップを実行する。
【０１６８】
本出願の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに第一の態様で記載される方法の一部又は全てのステップを実行させるように動作されてもよい。該コンピュータプログラム製品は、一つのソフトウェアインストールパッケージであってもよい。
【０１６９】
本出願の実施例で説明された方法又はアルゴリズムのステップはハードウェアで実現されてもよいし、プロセッサがソフトウェア命令を実行することで実現されてもよい。ソフトウェア命令が対応するソフトウェアモジュールで構成されてもよく、ソフトウェアモジュールはランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラマブルＲＯＭ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、モバイルハードディスク、読み出し専用光ディスク（ＣＤ−ＲＯＭ）又は本分野の既知のいかなる他の形態の記憶媒体に記憶されてもよい。例示的な記憶媒体がプロセッサに結合され、これによりプロセッサは該記憶媒体から情報を読み取ることができ、且つ該記憶媒体に情報を書き込むことができる。当然、記憶媒体はプロセッサの構成部分であってもよい。プロセッサと記憶媒体はＡＳＩＣに位置してもよい。また、該ＡＳＩＣはアクセスネットワーク装置、ターゲットネットワーク装置又はコアネットワーク装置に位置してもよい。当然、プロセッサと記憶媒体はディスクリートコンポーネントとしてアクセスネットワーク装置、ターゲットネットワーク装置又はコアネットワーク装置に位置してもよい。
【０１７０】
当業者は、上述した一つ又は複数の例において、本出願の実施例で説明された機能が全部又は一部でソフトウェア、ハードウェア、ファームウェア又はそれらの任意の組み合わせによって実現されてもよいことを理解することができる。ソフトウェアで実施される場合、全て又は部分的にコンピュータプログラム製品の形で実施されてもよい。前記コンピュータプログラム製品は一つ又は複数のコンピュータ命令を含む。コンピュータで前記コンピュータプログラム命令をロードして実行する場合、本出願の実施例に従って説明されたプロセス又は機能を全て部分的に生成する。前記コンピュータは汎用コンピュータ、専用コンピュータ、コンピュータネットワーク、又は他のプログラマブルデバイスであってもよい。前記コンピュータ命令はコンピュータ可読記憶媒体に記憶されてもよく、又は一つのコンピュータ読記憶媒体から別のコンピュータ読記憶媒体に伝送されてもよく、例えば、前記コンピュータ命令は一つウェブサイト、コンピュータ、サーバ又はデータセンターから別のウェブサイト、コンピュータ、サーバ又はデータセンターに有線（例えば同軸ケーブル、光ファイバ、デジタル加入者線（ＤＳＬ：Ｄｉｇｉｔａｌ  Ｓｕｂｓｃｒｉｂｅｒ  Ｌｉｎｅ）又は無線（例えば赤外線、無線、マイクロ波など）で伝送されてもよい。前記コンピュータ読記憶媒体はコンピュータがアクセスできるいかなる利用可能な媒体であってもよく、又は一つ又は複数の利用可能な媒体で集積されたサーバ、データセンターなどのデータ記憶装置を含む。前記利用可能な媒体は磁気磁気媒体（例えばフロッピーディスク、ハードディスク、磁気テープ）、光学媒体（例えばデジタルビデオディスク（ＤＶＤ：Ｄｉｇｉｔａｌ  Ｖｉｄｅｏ  Ｄｉｓｃ））、又は半導体媒体（例えばソリッドステートディスク（ＳＳＤ：Ｓｏｌｉｄ  Ｓｔａｔｅ  Ｄｉｓｋ））などであってもよい。
【０１７１】
上記の具体的な実施形態では、本出願の実施例の目的、技術的解決策と有益な効果をさらに詳しく説明し、したがって、理解すべきものとして、上記は本出願の具体的な実施例の具体的な実施形態に過ぎず、本出願の実施例の保護範囲を限定するためのものではなく、本出願の実施例の技術的解決策に基づいて行われるいかなる修正、同等置き換え、改良などは、いずれも本開示の保護範囲内に含まれるべきである。
【手続補正２】
【補正対象書類名】特許請求の範囲
【補正対象項目名】全文
【補正方法】変更
【補正の内容】
【特許請求の範囲】
【請求項１】
チャネルサウンディング基準信号（ＳＲＳ）伝送方法であって、
ユーザ装置が現在の活性化のアップリンク帯域幅部分（ＢＷＰ）を確定することと、
前記ユーザ装置が前記の現在の活性化のアップリンクＢＷＰに対応するＳＲＳパラメータ配置を確定することと、
前記ユーザ装置が前記ＳＲＳパラメータ配置に基づいて前記アップリンクＢＷＰでＳＲＳを伝送することとを含む、前記チャネルサウンディング基準信号（ＳＲＳ）伝送方法。
【請求項２】
前記ユーザ装置が現在の活性化のアップリンク帯域幅部分（ＢＷＰ）を確定することは、
前記ユーザ装置がＢＷＰ指示情報に基づいて現在の活性化のアップリンクＢＷＰを確定することを含み、直近受信された、アップリンク伝送をスケジューリングするためのダウンリンク制御情報（ＤＣＩ）が前記ＢＷＰ指示情報を含むことを特徴とする請求項１に記載の方法。
【請求項３】
前記方法はさらに、
前記ユーザ装置がネットワーク装置から送信された上位層シグナリングを受信し、前記上位層シグナリングが前記ユーザ装置の各アップリンクＢＷＰのために、対応するＳＲＳパラメータ配置を配置することに用いられることを含み、
前記ユーザ装置が前記の現在の活性化のアップリンクＢＷＰに対応するＳＲＳパラメータ配置を確定することは、
前記ユーザ装置が前記上位層シグナリングに基づいて前記現在の活性化のアップリンクＢＷＰに対応するＳＲＳパラメータ配置を確定することを含むことを特徴とする請求項１又は２に記載の方法。
【請求項４】
前記ＳＲＳパラメータ配置は前記アップリンクＢＷＰに含まれる少なくとも一つのＳＲＳリソースセットの配置及び／又は前記アップリンクＢＷＰに含まれる少なくとも一つのＳＲＳリソースの配置を含むことを特徴とする請求項１−３のいずれか一項に記載の方法。
【請求項５】
前記ＳＲＳリソースセットの配置は、ＳＲＳリソースセットの電力制御パラメータ配置、ＳＲＳリソースセットの機能配置、ＳＲＳリソースセットに対応する非周期トリガ状態、ＳＲＳリソースセットに関連付けられたチャネル状態情報基準信号（ＣＳＩ−ＲＳ）リソース配置のうちの少なくとも一つを含むことを特徴とする請求項４に記載の方法。
【請求項６】
前記ＳＲＳリソースの配置は、ＳＲＳリソースの時間周波数リソース配置、ＳＲＳリソースのシーケンス配置、ＳＲＳリソースのアンテナポート配置、ＳＲＳリソースの周期性配置、ＳＲＳリソースの空間相関性配置、ＳＲＳリソースに対応する非周期トリガ状態のうちの少なくとも一つを含むことを特徴とする請求項４又は５に記載の方法。
【請求項７】
前記方法はさらに、
前記アップリンクＢＷＰを活性化するＤＣＩに非周期ＳＲＳトリガシグナリングが含まれる場合、前記ユーザ装置が前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとすることを特徴とする
請求項１−６のいずれか一項に記載の方法。
【請求項８】
前記ＳＲＳパラメータ配置が前記ＳＲＳリソースセットの電力制御パラメータ配置を含み、前記ユーザ装置が前記ＳＲＳパラメータ配置に基づいて前記アップリンクＢＷＰでＳＲＳを伝送することは、
前記ユーザ装置が前記ＳＲＳリソースセットの電力制御パラメータ配置に基づき、前記ＳＲＳリソースセットでＳＲＳを伝送するための送信電力を確定し、確定された前記送信電力に基づいて前記アップリンクＢＷＰでＳＲＳを伝送することを含むことを特徴とする
請求項５−７のいずれか一項に記載の方法。
【請求項９】
前記ＳＲＳパラメータ配置が前記ＳＲＳリソースセットの機能配置を含み、前記ユーザ装置が前記ＳＲＳパラメータ配置に基づいて前記アップリンクＢＷＰでＳＲＳを伝送することは、
前記ユーザ装置が前記ＳＲＳリソースセットの機能配置に基づき、前記ＳＲＳリソースセットでＳＲＳを伝送するためのアンテナポート、送信ビーム又はＳＲＳリソース数を確定し、確定された前記アンテナポート、前記送信ビーム又は前記ＳＲＳリソース数に基づいて前記アップリンクＢＷＰでＳＲＳを伝送することを含むことを特徴とする
請求項５−８のいずれか一項に記載の方法。
【請求項１０】
前記ＳＲＳパラメータ配置が前記ＳＲＳリソースセットに対応する非周期トリガ状態を含み、前記ユーザ装置が前記ＳＲＳパラメータ配置に基づいて前記アップリンクＢＷＰでＳＲＳを伝送することは、
前記ユーザ装置が前記ＳＲＳリソースセットに対応する非周期トリガ状態と前記非周期ＳＲＳトリガシグナリングに応じて上記アップリンクＢＷＰで非周期ＳＲＳ伝送を行うためのＳＲＳリソースセットを確定し、確定された前記ＳＲＳリソースセットに基づいて前記アップリンクＢＷＰでＳＲＳを伝送することを含むことを特徴とする
請求項５−９のいずれか一項に記載の方法。
【請求項１１】
前記ＳＲＳパラメータ配置が前記ＳＲＳリソースセットに関連付けられたＣＳＩ−ＲＳリソース配置を含み、前記ユーザ装置が前記ＳＲＳパラメータ配置に基づいて前記アップリンクＢＷＰでＳＲＳを伝送することは、
前記ユーザ装置が前記ＳＲＳリソースセットに関連付けられたＣＳＩ−ＲＳリソース配置に基づき、前記ＳＲＳリソースセットでＳＲＳを伝送するためのビーム及び／又はプリコーディング行列を確定し、確定された前記ビーム及び／又は前記プリコーディング行列に基づいて前記アップリンクＢＷＰでＳＲＳを伝送することを含むことを特徴とする
請求項５−１０のいずれか一項に記載の方法。
【請求項１２】
前記ＳＲＳパラメータ配置が前記ＳＲＳリソースの空間相関パラメータを含み、前記ユーザ装置が前記ＳＲＳパラメータ配置に基づいて前記アップリンクＢＷＰでＳＲＳを伝送することは、
前記ユーザ装置が前記ＳＲＳリソースの空間相関パラメータに基づいて前記ＳＲＳリソース空間と関連するターゲットＳＲＳリソース、ＣＳＩ−ＲＳリソース又は同期信号ブロック（ＳＳＢ）を確定することと、
前記ユーザ装置が前記ターゲットＳＲＳリソース、前記ＣＳＩ−ＲＳリソース又は前記ＳＳＢに基づき、前記ＳＲＳリソースの送信ビームを確定することと、
前記ユーザ装置が確定された前記送信ビームに基づいて前記アップリンクＢＷＰでＳＲＳを伝送することとを含むことを特徴とする
請求項６−１１のいずれか一項に記載の方法。
【請求項１３】
前記ＳＲＳパラメータ配置が前記ＳＲＳリソースのシーケンス配置を含み、前記ユーザ装置が前記ＳＲＳパラメータ配置に基づいて前記アップリンクＢＷＰでＳＲＳを伝送することは、
前記ユーザ装置が前記ＳＲＳリソースのシーケンス配置に基づき、前記ＳＲＳリソースでＳＲＳを伝送するためのＳＲＳシーケンスを確定し、確定された前記ＳＲＳシーケンスに基づいて前記アップリンクＢＷＰでＳＲＳを伝送することを含むことを特徴とする
請求項６−１２のいずれか一項に記載の方法。
【請求項１４】
前記ＳＲＳパラメータ配置が前記ＳＲＳリソースの周期性配置を含み、前記ユーザ装置が前記ＳＲＳパラメータ配置に基づいて前記アップリンクＢＷＰでＳＲＳを伝送することは、
前記ユーザ装置が前記ＳＲＳリソースの周期性配置に基づき、前記ＳＲＳリソースでＳＲＳを伝送する周期的行為を確定し、確定された前記周期的行為に基づいて前記アップリンクＢＷＰでＳＲＳを伝送することを含むことを特徴とする
請求項６−１３のいずれか一項に記載の方法。
【請求項１５】
ユーザ装置であって、処理ユニットと通信ユニットを備え、ここで、
前記処理ユニットが現在の活性化のアップリンク帯域幅部分（ＢＷＰ）を確定するように構成され、
前記処理ユニットがさらに前記の現在の活性化のアップリンクＢＷＰに対応するＳＲＳパラメータ配置を確定するように構成され、
前記処理ユニットがさらに前記ＳＲＳパラメータ配置に基づいて前記通信ユニットを介して前記アップリンクＢＷＰでＳＲＳを伝送するように構成される、前記ユーザ装置。
【請求項１６】
前記処理ユニットは、
ＢＷＰ指示情報に基づいて現在の活性化のアップリンクＢＷＰを確定するようにさらに構成され、直近受信された、アップリンク伝送をスケジューリングするためのダウンリンク制御情報（ＤＣＩ）が前記ＢＷＰ指示情報を含む、
請求項１５に記載のユーザ装置。
【請求項１７】
前記通信ユニットは、ネットワーク装置から送信された上位層シグナリングを受信するようにさらに構成され、前記上位層シグナリングが前記ユーザ装置の各アップリンクＢＷＰのために、対応するＳＲＳパラメータ配置を配置することに用いられ、
前記処理ユニットは、前記上位層シグナリングに基づいて前記現在の活性化のアップリンクＢＷＰに対応するＳＲＳパラメータ配置を確定するようにさらに構成される、
請求項１５又は１６に記載のユーザ装置。
【請求項１８】
前記ＳＲＳパラメータ配置は前記アップリンクＢＷＰに含まれる少なくとも一つのＳＲＳリソースセットの配置及び／又は前記アップリンクＢＷＰに含まれる少なくとも一つのＳＲＳリソースの配置を含む、
請求項１５−１７のいずれか一項に記載のユーザ装置。
【請求項１９】
前記ＳＲＳリソースセットの配置は、ＳＲＳリソースセットの電力制御パラメータ配置、ＳＲＳリソースセットの機能配置、ＳＲＳリソースセットに対応する非周期トリガ状態、ＳＲＳリソースセットに関連付けられたチャネル状態情報基準信号（ＣＳＩ−ＲＳ）リソース配置のうちの少なくとも一つを含む
請求項１８に記載のユーザ装置。
【請求項２０】
前記ＳＲＳリソースの配置は、ＳＲＳリソースの時間周波数リソース配置、ＳＲＳリソースのシーケンス配置、ＳＲＳリソースのアンテナポート配置、ＳＲＳリソースの周期性配置、ＳＲＳリソースの空間相関性配置、ＳＲＳリソースに対応する非周期トリガ状態のうちの少なくとも一つを含む、
請求項１８又は１９に記載のユーザ装置。
【請求項２１】
前記処理ユニットは、
前記アップリンクＢＷＰを活性化するＤＣＩに非周期ＳＲＳトリガシグナリングが含まれる場合、前記アップリンクＢＷＰに対応する少なくとも一つのＳＲＳリソースセットを前記非周期ＳＲＳトリガシグナリングによってトリガされたＳＲＳ伝送を搬送するＳＲＳリソースセットとするようにさらに構成される、
請求項１５−２０のいずれか一項に記載のユーザ装置。
【請求項２２】
前記ＳＲＳパラメータ配置が前記ＳＲＳリソースセットの電力制御パラメータ配置を含み、
前記処理ユニットは、前記ＳＲＳリソースセットの電力制御パラメータ配置に基づき、前記ＳＲＳリソースセットでＳＲＳを伝送するための送信電力を確定するようにさらに構成され、
前記通信ユニットは、前記確定された前記送信電力に基づいて前記アップリンクＢＷＰでＳＲＳを伝送するようにさらに構成される、
請求項１９−２１のいずれか一項に記載のユーザ装置。
【請求項２３】
前記ＳＲＳパラメータ配置が前記ＳＲＳリソースセットの機能配置を含み、
前記処理ユニットは、前記ＳＲＳリソースセットの機能配置に基づき、前記ＳＲＳリソースセットでＳＲＳを伝送するためのアンテナポート、送信ビーム又はＳＲＳリソース数を確定するようにさらに構成され、
前記通信ユニットは、前記確定された前記アンテナポート、前記送信ビーム又は前記ＳＲＳリソース数に基づいて前記アップリンクＢＷＰでＳＲＳを伝送するようにさらに構成される、
請求項１９−２２のいずれか一項に記載のユーザ装置。
【請求項２４】
前記ＳＲＳパラメータ配置が前記ＳＲＳリソースセットに対応する非周期トリガ状態を含み、
前記処理ユニットは、前記ＳＲＳリソースセットに対応する非周期トリガ状態と前記非周期ＳＲＳトリガシグナリングに応じて上記アップリンクＢＷＰで非周期ＳＲＳ伝送を行うためのＳＲＳリソースセットを確定するようにさらに構成され、
前記通信ユニットは、前記確定された前記ＳＲＳリソースセットに基づいて前記アップリンクＢＷＰでＳＲＳを伝送するようにさらに構成される、
請求項１９−２３のいずれか一項に記載のユーザ装置。
【請求項２５】
前記ＳＲＳパラメータ配置が前記ＳＲＳリソースセットに関連付けられたＣＳＩ−ＲＳリソース配置を含み、
前記処理ユニットは、前記ＳＲＳリソースセットに関連付けられたＣＳＩ−ＲＳリソース配置に基づき、前記ＳＲＳリソースセットでＳＲＳを伝送するためのビーム及び／又はプリコーディング行列を確定するようにさらに構成され、
前記通信ユニットは、前記確定された前記ビーム及び／又は前記プリコーディング行列に基づいて前記アップリンクＢＷＰでＳＲＳを伝送するようにさらに構成される、
請求項１９−２４のいずれか一項に記載のユーザ装置。
【請求項２６】
前記ＳＲＳパラメータ配置が前記ＳＲＳリソースの空間相関パラメータを含み、
前記処理ユニットは、前記ＳＲＳリソースの空間相関パラメータに基づいて前記ＳＲＳリソース空間と関連するターゲットＳＲＳリソース、ＣＳＩ−ＲＳリソース又は同期信号ブロック（ＳＳＢ）を確定するようにさらに構成され、
前記通信ユニットは、前記ターゲットＳＲＳリソース、前記ＣＳＩ−ＲＳリソース又は前記ＳＳＢに基づき、前記ＳＲＳリソースの送信ビームを確定するようにさらに構成される、
請求項２０−２５のいずれか一項に記載のユーザ装置。
【請求項２７】
前記ＳＲＳパラメータ配置が前記ＳＲＳリソースのシーケンス配置を含み、
前記処理ユニットは、前記ＳＲＳリソースのシーケンス配置に基づき、前記ＳＲＳリソースでＳＲＳを伝送するためのＳＲＳシーケンスを確定するようにさらに構成され、
前記通信ユニットは、前記確定された前記ＳＲＳシーケンスに基づいて前記アップリンクＢＷＰでＳＲＳを伝送するようにさらに構成される、
請求項２０−２６のいずれか一項に記載のユーザ装置。
【請求項２８】
前記ＳＲＳパラメータ配置が前記ＳＲＳリソースの周期性配置を含み、
前記処理ユニットは、前記ＳＲＳリソースの周期性配置に基づき、前記ＳＲＳリソースでＳＲＳを伝送する周期的行為を確定するようにさらに構成され、
前記処理ユニットは、前記確定された前記周期的行為に基づいて前記アップリンクＢＷＰでＳＲＳを伝送するするようにさらに構成される、
請求項２０−２７のいずれか一項に記載のユーザ装置。
【請求項２９】
コンピュータ可読記憶媒体であって、電子データ交換のためのコンピュータプログラムを記憶し、ここで、前記コンピュータプログラムによりコンピュータが請求項１−１４のいずれか一項に記載される方法のステップを実行するための命令を含む、前記コンピュータ可読記憶媒体。
【国際調査報告】
2021515420.tif 000009
2021515420.tif 000010
2021515420.tif 000011
2021515420.tif 000012
2021515420.tif 000013